(57)【要約】  広域ネットワーク（ＷＡＮ）のアップリンク帯域幅をピアツーピア通信信号伝送の使用と共有することに関する方法および装置について開示する。基地局は周辺にあるピアツーピア無線端末向けに意図されたピアツーピア送信電力制御信号を生成し、送信することによってピアツーピア信号伝送からの干渉のレベルを調整する。基地局は、ピアツーピア無線端末がアップリンク周波数帯域でのピアツーピア送信電力レベルを制御する際にピアツーピア無線端末によって用いられる信号、例えばビーコンまたは放送チャンネル信号のような信号を、対応するダウンリンク周波数帯域で送信する。ピアツーピア無線端末は基地局信号を受信し評価する。その評価から決定される情報は、ピアツーピア信号送信が許可されているか否かを決定する際、および／またはピアツーピア送信電力レベルを決定する際に用いられる。【選択図】      図１
2010504052.tif 000002
【特許請求の範囲】
【請求項１】
基地局のアップリンク周波数帯域でのピアツーピア通信をサポートする無線通信デバイスを動作させる方法であって、
ダウンリンク周波数帯域で基地局から第１の信号を受信することと、
前記受信信号に関する評価を実行することと、
前記アップリンク周波数帯域における少なくともいくつかのピアツーピア信号送信に対するピアツーピア送信電力を前記第１の受信信号の評価結果の関数として制御することと、
を備える方法。
【請求項２】
前記評価は信号電力測定である、請求項１に記載の方法。
【請求項３】
前記評価は、前記受信信号で伝達された、符号化された情報の抽出である、請求項１に記載の方法。
【請求項４】
前記評価は、前記受信信号の受信電力レベルと、前記受信信号で伝達された、抽出され、符号化された情報の双方から情報を得ることを含む、請求項１に記載の方法。
【請求項５】
前記第１の信号が受信される時間と異なる時間に前記ダウンリンク周波数帯域で前記基地局から第２の信号を受信することと、
前記第２の受信信号に関する評価を実行することと、
前記第２の受信信号の評価から、前記アップリンク周波数帯域でピアツーピア通信信号の送信を前記無線通信デバイスが控えるべきであることを決定することと、
をさらに備える、請求項１に記載の方法。
【請求項６】
ピアツーピア通信信号送信を通信デバイスが控えるべきであると決定した後、前記基地局からの別の信号の評価から前記無線通信デバイスがピアツーピア信号送信を許可されると決定するまで前記無線通信デバイスがピアツーピア信号を前記アップリンク周波数帯域で送信することを控えることをさらに備える、請求項５に記載の方法。
【請求項７】
前記第１の信号はビーコン信号である、請求項１に記載の方法。
【請求項８】
前記ビーコン信号は最大３個のＯＦＤＭトーンを含み、前記ビーコン信号のトーンはピアツーピア信号の非ヌルトーンの平均トーンあたり送信電力より少なくとも１０ｄＢ高いトーンあたり送信電力レベルを有する、請求項７に記載の方法。
【請求項９】
前記第１の信号は放送チャネル信号である、請求項１に記載の方法。
【請求項１０】
前記放送チャンネル信号は１組のＯＦＤＭトーンを含み、前記放送チャンネル信号のトーンはピアツーピア信号の非ヌルトーンの平均トーンあたり送信電力レベルより少なくとも３ｄＢ高いトーンあたり送信電力レベルを有する、請求項９に記載の方法。
【請求項１１】
前記第１の信号はＣＤＭＡパイロット信号である請求項１に記載の方法。
【請求項１２】
前記アップリンクおよびダウンリンク周波数帯域は異なる非オーバラップ周波数分割二重（ＦＤＤ）ＷＡＮ基地局通信帯域に一致する、請求項１に記載の方法。
【請求項１３】
前記アップリンク周波数帯域はアップリンクタイムスロットの期間に基地局時分割二重（ＴＤＤ）帯域に一致し前記ダウンリンク周波数帯域は、ダウンリンクタイムスロットの期間に、同じ基地局時分割二重（ＴＤＤ）帯域に一致する、請求項１に記載の方法。
【請求項１４】
ピアツーピア送信電力を制御することは第１の関数を用いることを含み、
前記第１の関数は、ピアツーピア送信電力を、第１の受信信号電力レベルに対して、前記第１の受信信号電力レベルより高い第２の受信信号電力レベルに対するよりも低く制限する、請求項２に記載の方法。
【請求項１５】
前記第１の関数は最大許容ピアツーピア送信電力レベルを決定する、請求項１４に記載の方法。
【請求項１６】
基地局のアップリンク周波数帯域のピアツーピア通信をサポートする無線通信デバイスに用いるためのプロセッサを備える装置であって、前記プロセッサは、
ダウンリンク周波数帯域で基地局から第１の信号を受信し、
受信信号に関する評価を実行し、
前記アップリンク周波数帯域における少なくともいくつかのピアツーピア信号送信に対するピアツーピア送信電力を前記第１の受信信号の評価結果の関数として制御する、
ように構成された、装置。
【請求項１７】
前記評価は信号電力測定である、請求項１６に記載の装置。
【請求項１８】
前記評価は、前記受信信号で伝達された、符号化された情報の抽出である、請求項１６に記載の装置。
【請求項１９】
前記プロセッサは、
前記第１の信号が受信される時間と異なる時間に前記ダウンリンク周波数帯域で前記基地局から第２の信号を受信し、
第２の受信信号に関する評価を実行し、
前記第２の受信信号の評価から、前記アップリンク周波数帯域でピアツーピア通信信号を送信することを前記無線通信デバイスが控えるべきであることを決定する、
ようにさらに構成された、請求項１６に記載の装置。
【請求項２０】
前記プロセッサは、
ピアツーピア通信信号送信を通信デバイスが控えるべきであると決定した後、前記基地局からの別の信号の評価から、ピアツーピア信号送信を許可されると決定するまでピアツーピア信号の前記アップリンク周波数帯域での送信を前記無線通信デバイスが控えるように前記通信デバイスを制御するようさらに構成された、請求項１９に記載の装置。
【請求項２１】
別の通信デバイスとの交信方法を実施するために基地局のアップリンク周波数帯域でのピアツーピア通信をサポートする無線通信デバイスを制御するための機械実行可能な命令を含む計算機可読媒体であって、前記方法は、
ダウンリンク周波数帯域で基地局から第１の信号を受信することと、
前記受信信号に関する評価を実行することと、
前記アップリンク周波数帯域における少なくともいくつかのピアツーピア信号送信に対するピアツーピア送信電力を前記第１の受信信号の評価結果の関数として制御することと、
を備える計算機可読媒体。
【請求項２２】
前記評価は信号電力測定である、請求項２１に記載の計算機可読媒体。
【請求項２３】
前記評価は、前記受信信号で伝達された、符号化された情報の抽出である、請求項２１に記載の計算機可読媒体。
【請求項２４】
前記第１の信号が受信される時間と異なる時間に前記ダウンリンク周波数帯域で前記基地局から第２の信号を受信することと、
第２の受信信号に関する評価を実行することと、
前記第２の受信信号の評価から、前記アップリンク周波数帯域でのピアツーピア通信信号送信を前記無線通信デバイスが控えるべきであると決定することと、
を実行するための機械実行可能な命令をさらに含む、請求項２１に記載の計算機可読媒体。
【請求項２５】
ピアツーピア通信信号送信を通信デバイスが控えるべきであると決定した後、前記基地局からの別の信号の評価から、ピアツーピア信号送信を前記無線通信デバイスが許可されると決定するまでピアツーピア信号の前記アップリンク周波数帯域での送信を前記通信デバイスが控えるための機械実行可能な命令をさらに含む、請求項２４に記載の計算機可読媒体。
【請求項２６】
第１の通信帯域のピアツーピア通信からの干渉を制御するように基地局を動作させる方法であって、
ピアツーピア送信電力制御信号を生成することと、
前記ピアツーピア送信電力制御信号を前記第１の通信帯域と異なる第２の通信帯域で送信することと、
を備える方法。
【請求項２７】
前記第１の通信帯域は、（ｉ）広域ネットワーク無線端末から前記基地局へ送られた広域ネットワークアップリンク信号伝送、および（ｉｉ）２つのピアツーピア無線端末間のピアツーピア通信信号伝送、の双方に利用される、請求項２６に記載の方法。
【請求項２８】
前記第２の通信帯域は、（ｉ）前記基地局から前記広域ネットワーク無線端末へのダウンリンク信号、および（ｉｉ）ピアツーピア通信デバイスへの前記ピアツーピア電力制御信号、の双方を伝達するために利用される、請求項２７に記載の方法。
【請求項２９】
広域ネットワークアップリンク送信電力制御信号を生成することと、
前記生成された広域ネットワーク送信電力制御信号を前記第２の通信帯域で前記広域ネットワーク無線端末へ送信することと、
をさらに含む、請求項２８に記載の方法。
【請求項３０】
前記第１の通信帯域は周波数分割二重（ＦＤＤ）広域ネットワーク（ＷＡＮ）アップリンク周波数帯域であり、前記第２の通信帯域は周波数分割二重（ＦＤＤ）広域ネットワークダウンリンク周波数帯域である、請求項２８に記載の方法。
【請求項３１】
前記アップリンク周波数帯域および前記ダウンリンク周波数帯域は非オーバラップであり、対応する対を形成する、請求項３０に記載の方法。
【請求項３２】
前記第１の通信帯域は、アップリンクタイムスロットの期間、基地局時分割二重（ＴＤＤ）帯域であり、前記第２の通信帯域は、ダウンリンクタイムスロットの期間、同じ基地局ＴＤＤ帯域である、請求項２８に記載の方法。
【請求項３３】
前記ピアツーピア送信電力制御信号はビーコン信号である、請求項２８に記載の方法。
【請求項３４】
前記ビーコン信号は最大３個のＯＦＤＭトーンを含み、前記ビーコン信号のトーンはピアツーピア信号の非ヌルトーンの平均トーンあたり送信電力より少なくとも１０ｄＢ高いトーンあたり送信電力レベルを有する、請求項３３に記載の方法。
【請求項３５】
前記ピアツーピア送信電力制御信号は放送チャネル信号である、請求項２８に記載の方法。
【請求項３６】
前記放送チャンネル信号は１組のＯＦＤＭトーンを含み、前記放送チャンネル信号のトーンはピアツーピア信号の非ヌルトーンの平均トーンあたり送信電力レベルより少なくとも３ｄＢ高いトーンあたり送信電力レベルを有する、請求項３５に記載の方法。
【請求項３７】
前記ピアツーピア送信電力制御信号はＣＤＭＡパイロット信号である、請求項２８に記載の方法。
【請求項３８】
第２のピアツーピア送信電力制御信号を前記第１のピアツーピア送信電力レベルと異なる送信電力レベルで送信することをさらに含み、前記ピアツーピア送信電力制御信号の前記受信電力レベルはピアツーピア無線端末のピアツーピア送信電力レベルを調整する際にピアツーピア無線端末によって用いられることになる、請求項２８に記載の方法。
【請求項３９】
前記第１のピアツーピア送信電力制御信号と異なる符号化された制御情報を伝達する第２のピアツーピア送信電力制御信号をさらに含み、前記符号化された情報はピアツーピア無線端末のピアツーピア送信電力レベルを調整する際にピアツーピア無線端末によって用いられることになる、請求項２８に記載の方法。
【請求項４０】
第１の通信帯域のピアツーピア通信からの干渉を制御するために基地局で用いるためのプロセッサを含む装置であって、前記プロセッサは、
ピアツーピア送信電力制御信号を生成し、
前記第１の通信帯域と異なる第２の通信帯域で前記ピアツーピア送信電力制御信号を送信する、
ように構成された、装置。
【請求項４１】
前記第１の通信帯域は、（ｉ）広域ネットワーク無線端末から前記基地局へ送られた広域ネットワークアップリンク信号伝送、および（ｉｉ）２つのピアツーピア無線端末間のピアツーピア通信信号伝送、の双方に利用される、請求項４０に記載の装置。
【請求項４２】
前記第２の通信帯域は、（ｉ）前記基地局から前記広域ネットワーク無線端末へのダウンリンク信号、および（ｉｉ）ピアツーピア通信デバイスへの前記ピアツーピア電力制御信号、の双方を伝達するために利用される、請求項４１に記載の装置。
【請求項４３】
前記第１の通信帯域は周波数分割二重（ＦＤＤ）広域ネットワーク（ＷＡＮ）アップリンク周波数帯域であり、前記第２の通信帯域は周波数分割二重（ＦＤＤ）広域ネットワークダウンリンク周波数帯域である、請求項４２に記載の装置。
【請求項４４】
前記アップリンク周波数帯域は、アップリンクタイムスロットの期間、基地局時分割二重（ＴＤＤ）帯域であり、第２の通信帯域は、ダウンリンクタイムスロットの期間、同じＴＤＤ帯域である、請求項４２に記載の装置。
【請求項４５】
第１の通信帯域のピアツーピア通信からの干渉を制御するための方法を実施するために基地局を制御するための機械実行可能な命令を含む計算機可読媒体であって、前記方法は、
ピアツーピア送信電力制御信号を生成することと、
前記第１の通信帯域と異なる第２の通信帯域で前記ピアツーピア送信電力制御信号を送信することと、
を含む計算機可読媒体。
【請求項４６】
前記第１の通信帯域は、（ｉ）広域ネットワーク無線端末から前記基地局へ送られた広域ネットワークアップリンク信号伝送、および（ｉｉ）２つのピアツーピア無線端末間のピアツーピア通信信号伝送、の双方に利用される、請求項４５に記載の計算機可読媒体。
【請求項４７】
前記第２の通信帯域は、（ｉ）前記基地局から前記広域ネットワーク無線端末へのダウンリンク信号、および（ｉｉ）ピアツーピア通信デバイスへの前記ピアツーピア電力制御信号、の双方を伝達するために利用される、請求項４６に記載の計算機可読媒体。
【請求項４８】
前記第１の通信帯域は周波数分割二重（ＦＤＤ）広域ネットワーク（ＷＡＮ）アップリンク周波数帯域であり、前記第２の通信帯域は周波数分割二重（ＦＤＤ）広域ネットワークダウンリンク周波数帯域である、請求項４７に記載の計算機可読媒体。
【請求項４９】
前記第１の通信帯域は、アップリンクタイムスロットの期間、基地局時分割二重（ＴＤＤ）帯域であり、前記第２の通信帯域は、ダウンリンクタイムスロットの期間、同じ基地局ＴＤＤ帯域である、請求項４７に記載の計算機可読媒体。
【請求項５０】
基地局のアップリンク周波数帯域でのピアツーピア通信をサポートする無線通信デバイスであって、
ダウンリンク周波数帯域で基地局から第１の信号を受信するための受信機モジュールと、
受信信号に関する評価を実行ための信号処理モジュールと、
前記アップリンク周波数帯域における少なくともいくつかのピアツーピア信号送信のためのピアツーピア送信電力を前記第１の受信信号の評価結果の関数として制御するためのピアツーピア送信電力制御モジュールと、
を備える無線通信デバイス。
【請求項５１】
前記信号処理モジュールは前記受信信号の受信電力レベルを測定するための電力測定モジュール含む、請求項５０に記載の無線通信デバイス。
【請求項５２】
前記信号処理モジュールは、前記受信信号で伝達された、符号化された情報を抽出するための復号器モジュールを含む、請求項５０に記載の無線通信デバイス。
【請求項５３】
前記信号処理モジュールは、前記受信信号の受信電力レベルを測定する電力測定モジュールと、前記受信信号で伝達された、符号化された情報を抽出する復号器モジュールの双方を含む、請求項５０に記載の無線通信デバイス。
【請求項５４】
前記受信信号の評価から、前記アップリンク周波数帯域でのピアツーピア通信信号送信を無線通信デバイスが許可されているかどうか、または前記アップリンク周波数帯域でのピアツーピア通信信号送信を無線端末が制約されているかどうかを決定するためのピアツーピア認可モジュールをさらに含む、請求項５０に記載の無線通信デバイス。
【請求項５５】
前記第１の信号はビーコン信号である、請求項５０に記載の無線通信デバイス。
【請求項５６】
前記ビーコン信号は最大３個のＯＦＤＭトーンを含み、前記ビーコン信号のトーンはピアツーピア信号の非ヌルトーンの平均トーンあたり送信電力レベルより少なくとも１０ｄＢ高いトーンあたり送信電力レベルを有し、
前記無線通信デバイスは、さらに、
ピアツーピア送信電力制御に用いられる基地局発信のビーコン信号を特性化する格納された情報を含むメモリーと、
前記ビーコンを識別するためのピアツーピア送信電力制御ビーコン識別モジュールと、
を備える、請求項５５に記載の無線通信デバイス。
【請求項５７】
前記第１の信号は放送チャネル信号である、請求項５０に記載の無線通信デバイス。
【請求項５８】
前記放送チャンネル信号は１組のＯＦＤＭトーンを含み、前記放送チャンネル信号のトーンはピアツーピア信号の非ヌルトーンの平均トーンあたり送信電力レベルより少なくとも３ｄＢ高いトーンあたり送信電力レベルを有し、
前無線通信記デバイスは、さらに、
ピアツーピア送信電力制御に用いられる、基地局発信の放送チャネル信号を特性化する格納された情報を含むメモリーと、
前記放送チャネルを識別するためのピアツーピア送信電力制御放送識別モジュールと、
を備える、請求項５７に記載の無線通信デバイス。
【請求項５９】
前記第１の信号はＣＤＭＡパイロット信号である、請求項５０に記載の無線通信デバイス。
【請求項６０】
前記アップリンクおよびダウンリンク周波数帯域は異なる非オーバラップ周波数分割二重（ＦＤＤ）ＷＡＮ基地局通信帯域に一致し、
前記無線通信デバイスは、格納されたＦＤＤ無線リンク資源構造情報を含むメモリーをさらに備える、請求項５０に記載の無線通信デバイス。
【請求項６１】
前記アップリンク周波数帯域は、アップリンクタイムスロットの期間、基地局時分割二重（ＴＤＤ）帯域に一致し、前記ダウンリンク周波数帯域は、ダウンリンクタイムスロットの期間、同じ基地局時分割二重（ＴＤＤ）帯域に一致し、
前記無線通信デバイスは、格納されたＴＤＤ無線リンク資源構造情報を含むメモリーをさらに備える、請求項５０に記載の無線通信デバイス。
【請求項６２】
前記ピアツーピア送信電力制御モジュールは、第１の受信信号電力レベルに対するピアツーピア送信電力を前記第１の受信信号電力レベルより高い第２の受信信号電力レベルに対するよりも低く制限する第１の関数を用いて、ピアツーピア送信電力を制御する、請求項５１に記載の無線通信デバイス。
【請求項６３】
前記第１の関数は最大許容ピアツーピア送信電力レベルを決定する、請求項６２に記載の無線通信デバイス。
【請求項６４】
基地局のアップリンク周波数帯域でピアツーピア通信をサポートする無線通信デバイスであって、
ダウンリンク周波数帯域で基地局から第１の信号を受信するための受信手段と、
受信信号に関する評価を実行するための手段と、
前記アップリンク周波数帯域における少なくともいくつかのピアツーピア信号送信に対するピアツーピア送信電力を前記第１の受信信号の評価結果の関数として制御するための手段と、
を備える無線通信デバイス。
【請求項６５】
前記受信信号に関する評価を実行するための前記手段は前記受信信号の受信電力レベルを測定するための手段を含む、請求項６４に記載の無線通信デバイス。
【請求項６６】
受信信号に関する評価を実行するための前記手段は、受信信号で伝達された、符号化された情報を抽出するための手段を含む、請求項６４に記載の無線通信デバイス。
【請求項６７】
前記受信信号の評価から、前記アップリンク周波数帯域でピアツーピア通信信号送信を無線通信デバイスが許可されているかどうか、または前記アップリンク周波数帯域でピアツーピア通信信号送信を前記無線端末が制約されているかどうかを決定するための手段をさらに備える、請求項６４に記載の無線通信デバイス。
【請求項６８】
制御のための前記手段は、第１の受信信号電力レベルに対するピアツーピア送信電力を前記第１の受信信号電力レベルより高い第２の受信信号電力レベルに対するよりも低く制限する第１の関数を用いてピアツーピア送信電力を制御する、請求項６５に記載の無線通信デバイス。
【請求項６９】
第１の通信帯域のピアツーピア通信からの干渉を制御する基地局であって、
ピアツーピア送信電力制御信号を生成するためのピアツーピア送信電力制御信号生成モジュールと、
前記第１の通信帯域と異なる第２の通信帯域でピアツーピア送信電力制御信号を送信するための送信機モジュールと、
を備える基地局。
【請求項７０】
前記第１の通信帯域は、（ｉ）広域ネットワーク端末から前記基地局へ送られた広域ネットワークアップリンク信号伝送、および（ｉｉ）２つのピアツーピア無線端末間のピアツーピア通信信号伝送、の双方に利用される、請求項６９に記載の基地局。
【請求項７１】
前記第２の通信帯域は、（ｉ）前記基地局から前記広域ネットワーク無線端末へのダウンリンク信号、および（ｉｉ）ピアツーピア通信デバイスへの前記ピアツーピア電力制御信号、の双方を伝達するために利用される、請求項７０に記載の基地局。
【請求項７２】
広域ネットワークアップリンク送信電力制御信号を生成するための広域ネットワーク送信電力制御信号生成モジュールをさらに含み、
前記送信機モジュールは、前記第２の通信帯域で前記生成された広域ネットワーク送信電力制御信号を前記広域ネットワーク無線端末へ送信するためにも用いられる、
請求項７１に記載の基地局。
【請求項７３】
前記第１の通信帯域は周波数分割二重（ＦＤＤ）広域ネットワーク（ＷＡＮ）アップリンク周波数帯域であり、前記第２の通信帯域は周波数分割二重（ＦＤＤ）広域ネットワークダウンリンク周波数帯域である基地局であって、
ダウンリンク帯域のどの無線リンク資源がピアツーピア送信電力制御信号を伝達するために用いられるかを識別する情報を含む、格納されたＦＤＤ無線リンク資源構造情報を含むメモリーをさらに備える、請求項７１に記載の基地局。
【請求項７４】
前記アップリンク周波数帯域および前記ダウンリンク周波数帯域は非オーバラップであり、対応する対を形成する、請求項７３に記載の基地局。
【請求項７５】
前記第１の通信帯域は、アップリンクタイムスロットの期間、基地局時分割二重（ＴＤＤ）帯域であり、前記第２の通信帯域は、ダウンリンクタイムスロットの期間、同じＴＤＤ帯域である基地局であって、
ピアツーピア送信電力制御信号を伝達するために用いられるＴＤＤ帯域のダウンリンクタイムスロットの無線リンク資源を識別する情報を含む、格納されたＴＤＤ無線リンク資源構造情報を含むメモリーをさらに備える、請求項７１に記載の基地局。
【請求項７６】
前記ピアツーピア送信電力制御信号はビーコン信号である、請求項７１に記載の基地局。
【請求項７７】
前記ビーコン信号は最大３個のＯＦＤＭトーンを含み、前記ビーコン信号のトーンはピアツーピア信号の非ヌルトーンの平均トーンあたり送信電力より少なくとも１０ｄＢ高いトーンあたり送信電力レベルを有する基地局であって、
ピアツーピア送信電力制御ビーコン特性情報を含むメモリーをさらに備える、請求項７６に記載の基地局。
【請求項７８】
前記ピアツーピア送信電力制御信号は放送チャンネル信号である、請求項７１に記載の基地局。
【請求項７９】
前記放送チャンネル信号は１組のＯＦＤＭトーンを含み、前記放送チャンネル信号のトーンはピアツーピア信号の非ヌルトーンの平均トーンあたり送信電力レベルより少なくとも３ｄＢ高いトーンあたり送信電力レベルを有する基地局であって、
ピアツーピア送信電力制御放送チャンネル信号の特性情報を含むメモリーをさらに備える、請求項７８に記載の基地局。
【請求項８０】
前記ピアツーピア送信電力制御信号はＣＤＭＡパイロット信号である、請求項７１に記載の基地局。
【請求項８１】
第２のピアツーピア送信電力制御信号を第１のピアツーピア送信電力レベルと異なる送信電力レベルで送信するための送信機モジュールを制御するための送信電力制御モジュールをさらに備え、
前記ピアツーピア送信電力制御信号の受信電力レベルは、ピアツーピア無線端末のピアツーピア送信電力レベルを調整する際にそのピアツーピア無線端末によって用いられることになる、請求項７１に記載の基地局。
【請求項８２】
前記ピアツーピア送信電力制御信号生成モジュールは、
第１のピアツーピア送信電力制御信号と異なる符号化された制御情報を第２のピアツーピア送信電力制御信号に符号化するための符号器モジュールを含み、前記符号化された情報はピアツーピア無線端末のピアツーピア送信電力レベルを調整する際にそのピアツーピア無線端末によって用いられることになる、請求項７１に記載の基地局。
【請求項８３】
ピアツーピア信号伝送が前記第１の通信帯域で許可されることになるかどうか、またはピアツーピア信号伝送が前記第１の通信帯域で制約されることになるかどうかを決定するためのピアツーピア信号伝送制約決定モジュールをさらに備える、請求項７１に記載の基地局。
【請求項８４】
第１の通信帯域のピアツーピア通信からの干渉を制御する基地局であって、
ピアツーピア送信電力制御信号を生成するためのピアツーピア送信電力制御信号生成手段と、
前記第１の通信帯域と異なる第２の通信帯域でピアツーピア送信電力制御信号を送信するための手段と、
を備える基地局。
【請求項８５】
前記第１の通信帯域は、（ｉ）広域ネットワーク端末から前記基地局へ送られた広域ネットワークアップリンク信号伝送、および（ｉｉ）２つのピアツーピア無線端末間のピアツーピア通信信号伝送、の双方に利用される、請求項８４に記載の基地局。
【請求項８６】
前記第２の通信帯域は、（ｉ）前記基地局から前記広域ネットワーク無線端末へのダウンリンク信号、および（ｉｉ）ピアツーピア通信端末への前記ピアツーピア電力制御信号、の双方を伝達するために利用される、請求項８５に記載の基地局。
【請求項８７】
第２のピアツーピア送信電力制御信号を第１のピアツーピア送信電力レベルと異なる送信電力レベルで送信するための手段をさらに備え、ピアツーピア送信電力制御信号の受信電力レベルは、前記ピアツーピア無線端末のピアツーピア送信電力レベルを調整する際にそのピアツーピア無線端末によって用いられることになる、請求項８６に記載の基地局。
【請求項８８】
ピアツーピア信号伝送が前記第１の通信帯域で許可されることになるかどうか、またはピアツーピア信号伝送が前記第１の通信帯域で制約されることになるかどうかを決定するための手段をさらに備える、請求項８６に記載の基地局。
【発明の詳細な説明】
【関連出願】
【０００１】
本出願は２００６年９月１５日出願の米国仮出願番号60/845,053、名称”BEACONS IN A MIXED WIRELESS COMMUNICATION SYSTEM”（「混在無線通信システムにおけるビーコン」）に対する優先権を主張する。また本出願は２００７年６月１８日出願の米国出願番号11/764,332、名称”METHODS AND APPARATUS RELATED TO PEER TO PEER DEVICE CONTROL”（「ピアツーピアデバイス制御に関する方法および装置」）の一部継続出願である。これらの双方はここに参照として明白に組み込まれ、本出願の譲受人に譲渡されている。
【技術分野】
【０００２】
種々の実施例は無線通信のための方法および装置に関し、より詳細には、ピアツーピア通信に関する方法および装置に関する。
【背景技術】
【０００３】
無線スペクトルは高価かつ貴重な資源である。セルラシステムのような広域ネットワークシステムにおいて、ＷＡＮに割り当てられる無線スペクトルは、しばしば完全には利用されない。そのような十分に利用されない無線リンク資源を認識し、および／または利用する方法および装置が開発されたら、それは有利であろう。そのような方法および装置が、無線リンク資源の付加的利用により発生するＷＡＮ通信への干渉が処理されるような適応型であれば、それは有益であろう。ＷＡＮシステムの中断および／または変更を最小にしながらＷＡＮ通信とピアツーピア通信の間で帯域を共有する方法および装置は有益であろう。
【発明の概要】
【０００４】
広域ネットワーク（ＷＡＮ）のアップリンク帯域幅をピアツーピア通信信号伝送の使用と共有することに関する方法および装置について説明する。基地局は、ピアツーピア無線端末がアップリンク周波数帯域のピアツーピア送信電力レベルを制御する際に、ピアツーピア無線端末によって用いられる信号、例えば、参照信号および／または制御情報信号として役立つビーコン信号または非ビーコン放送チャンネル信号、を対応する基地局のダウンリンク周波数帯域で送信する。ピアツーピア無線端末は基地局信号を受信し評価する。この評価、例えば受信信号電力測定および／または復号動作は、ピアツーピア信号送信が許可されているか否かを決定する際、および／またはピアツーピア送信電力レベルを決定する際に、ピアツーピア無線端末によって用いられる情報を得る。いくつかの実施例において、受信された基地局信号によって伝達された実行中のサービスレベル情報および／または他の符号化された情報、例えば干渉レベル指標の値はピアツーピア送信電力レベルを決定する際にピアツーピア無線端末によって利用される。
【０００５】
種々の実施例において、基地局は、送信される信号の送信電力レベルを変える、および／または、信号によって伝達される情報を変える。このように、基地局はピアツーピア無線端末によって発生され、ＷＡＮアップリンク信号の受信に影響を与える干渉を動的に調整できる。
【０００６】
基地局によって送信され、ピアツーピア無線端末用に意図された参照および／または制御信号が基地局のダウンリンク周波数帯域で伝達されるため、基地局はこの信号をダウンリンク送信構造に容易に組み入れることができる。それとは異なり、そのような信号が基地局のアップリンク帯域で送信されるように指示された場合、基地局が同じ帯域内で同時に送信および受信していることは干渉を考慮すると実際的ではないため、基地局は、そのような期間にセルラ通信デバイスからのＷＡＮアップリンク信号伝送を制約する必要があるだろう。したがって、ピアツーピアの参照／制御信号を基地局のダウンリンク帯域で伝達する本方法は、基地局設計検討および／またはＷＡＮアップリンク信号伝送への影響から見て有利である。
【０００７】
基地局のアップリンク周波数帯域でのピアツーピア通信をサポートする無線通信デバイスを動作させる代表的な方法は、ダウンリンク周波数帯域で基地局から第１の信号を受信することと、受信信号に関する評価を実行することと、前記アップリンク周波数帯域での少なくともいくつかのピアツーピア信号送信に対して、前記第１の受信信号の評価結果の関数としてピアツーピア送信電力を制御すること、とを含む。基地局のアップリンク周波数帯域におけるピアツーピア通信をサポートする代表的な無線通信デバイスは、ダウンリンク周波数帯域で基地局から第１の信号を受信するための受信機モジュールと、受信信号に関する評価を実行するための信号処理モジュールと、前記アップリンク周波数帯域における少なくともいくつかのピアツーピア信号送信に対して、前記第１の受信信号の評価結果の関数としてピアツーピア送信電力を制御するためのピアツーピア送信電力制御モジュール、とを含む。
【０００８】
第１の通信帯域におけるピアツーピア通信からの干渉を制御するために基地局を動作させる代表的な方法は、ピアツーピア送信電力制御信号を生成することと、前記第１の通信帯域と異なる第２の通信帯域で前記ピアツーピア送信電力制御信号を送信すること、とを含む。第１の通信帯域におけるピアツーピア通信からの干渉を制御する代表的基地局は、ピアツーピア送信電力制御信号を生成するためのピアツーピア送信電力制御信号生成モジュールと、前記第１の通信帯域と異なる第２の通信帯域で前記ピアツーピア送信電力制御信号を送信するための送信機モジュール、とを含む。いくつかの実施例において、基地局は、広域ネットワークのアップリンク送信電力制御およびピアツーピア送信電力制御に対する電力の伝送レベルを制御するために明瞭に区別できる制御信号を生成し、および送信する。
【０００９】
上記概要で種々の実施例について検討したが、必ずしもすべての実施例が同じ特徴を含むわけではなく、いくつかの実施例において、上で説明した特徴のいくつかは必要ではないが、望ましいことがあるということが理解されるべきである。以下の詳細な説明において多くの付加的機能、実施例、および利益について検討する。
【図面の簡単な説明】
【００１０】
【図１】基地局のアップリンク周波数帯域でのピアツーピア通信をサポートする無線通信デバイスを動作させる代表的方法のフローチャート。
【図２】第１の通信帯域におけるピアツーピア通信からの干渉を制御するように基地局を動作させる代表的方法のフローチャート。
【図３】種々の実施例に従う基地局のＷＡＮアップリンク帯域でピアツーピア通信をサポートする、代表的無線通信デバイス、例えば移動ノードのような無線端末の図。
【図４】種々の実施例に従う、ピアツーピア送信電力制御に用いられる信号を生成し、送信する代表的基地局の図。
【図５】種々の実施例に従う、ピアツーピア信号伝送をサポートする無線通信デバイスを動作させる代表的方法のフローチャート。
【図６】種々の実施例に従う、ピアツーピア信号伝送をサポートする無線通信デバイスを動作させる代表的方法のフローチャート。
【図７】種々の実施例に従う、図７Ａおよび図７Ｂの組み合わせを含み、ピアツーピア通信をサポートする無線通信デバイスを動作させる代表的方法のフローチャート。
【図７Ａ】種々の実施例に従う、ピアツーピア通信をサポートする無線通信デバイスを動作させる代表的方法のフローチャートの部分。
【図７Ｂ】種々の実施例に従う、ピアツーピア通信をサポートする無線通信デバイスを動作させる代表的方法のフローチャートの部分。
【図８】種々の実施例に従う、ピアツーピア通信をサポートする代表的無線通信デバイス、例えば移動ノードのような無線端末の図。
【図９】代表的通信システムを含む代表的一実施例を示す図、周波数帯域利用を説明する表、および代表的ピアツーピア無線端末送信電力レベル情報を示す表。
【図１０】種々の実施例に従う、代表的無線通信システムの図。
【図１１】種々の実施例に従う、基地局を動作させる代表的方法のフローチャート。
【図１２】種々の実施例に従う、基地局を動作させる代表的方法のフローチャート。
【図１３】種々の実施例に従う、代表的基地局の図。
【図１４】種々の実施例に従う、代表的基地局の図。
【図１５】基地局がピアツーピア雑音を監視し、測定するサイレント期間が広域ネットワークにある、種々の実施例の特徴を示す図。
【図１６】種々の実施例のいくつかの特徴を示す図であって、図１５の例の続きの図。
【図１７】種々の実施例の特徴を示す、制御値の代表的ルックアップテーブルの図。
【図１８】種々の実施例に従う、例えば、アップリンク帯域幅がピアツーピア信号伝送にも利用される基地局を動作させる代表的方法のフローチャート。
【図１９】種々の実施例に従う、例えば、アップリンク帯域幅がピアツーピア信号伝送にも利用される基地局を動作させる代表的方法のフローチャート。
【図２０】横軸の制御係数αに対する縦軸の雑音Ｗをプロットした図。
【図２１】横軸の制御係数αに対する縦軸の雑音Ｗをプロットした図で、図１５に較べて他のセルの干渉が異なり、異なる特性曲線を示す。
【図２２】種々の実施例で用いられる電力制御係数αの選択を調整する代表的方法を示す図。
【図２３】広域ネットワーク、例えばセルラ通信のために時分割二重（ＴＤＤ）を利用するいくつかの実施例における代表的帯域幅の利用を示す図。
【図２４】広域ネットワーク、例えばセルラ通信のために周波数分割二重（ＦＤＤ）を利用するいくつかの実施例における代表的帯域幅の利用を示す図。
【図２５】種々の実施例に従う、代表的周波数帯域および広域ネットワーク通信利用とピアツーピア通信利用の間の共有周波数帯域の利用を示す図。
【発明の詳細な説明】
【００１１】
図１は基地局のアップリンク周波数帯域でのピアツーピア通信をサポートする無線通信デバイスを動作させる代表的方法のフローチャート１００である。動作はステップ１０２で始まる。ここで、無線通信デバイスは電源を投入され、初期化されてステップ１０４へ進む。ステップ１０４において、無線通信デバイスはダウンリンク周波数帯域で基地局から第１の信号を受信する。いくつかの実施例において、第１の信号はビーコン信号である。そのようないくつかの実施例において、ビーコン信号は最大３個のＯＦＤＭトーンを含み、ビーコン信号のこれらのトーンは、ピアツーピア信号の非ヌルトーンの平均トーンあたり送信電力レベルより少なくとも１０ｄＢ高いトーンあたり送信電力レベルを有する。いくつかの実施例において、第１の信号は放送チャンネル信号である。そのようないくつかの実施例において、放送チャンネル信号は１組のＯＦＤＭトーンを含み、放送チャンネル信号のこれらのトーンは、ピアツーピア信号の非ヌルトーンの平均トーンあたり送信電力レベルより少なくとも３ｄＢ高いトーンあたり送信電力レベルを有する。別の実施例において、第１の信号はＣＤＭＡパイロット信号である。
【００１２】
いくつかの実施例において、アップリンクおよびダウンリンク周波数帯域は異なる非オーバラップ周波数分割二重（ＦＤＤ）広域ネットワーク（ＷＡＮ）基地局通信帯域に一致する。他のいくつかの実施例において、アップリンク周波数帯域は、アップリンクタイムスロットの間、基地局の時分割二重（ＴＤＤ）帯域に一致する。ダウンリンク周波数帯域はダウンリンクタイムスロットの間、基地局の同じＴＤＤ帯域に一致する。図２４にピアツーピア信号伝送と共有する無線リンク資源を含む代表的ＷＡＮ  ＦＤＤスペクトル配置を示す。図２３にピアツーピア信号伝送と共有する無線リンク資源を含む代表的ＷＡＮ  ＴＤＤスペクトル配置を示す。
【００１３】
動作はステップ１０４からステップ１０６へ進む。ステップ１０６において、無線通信デバイスは受信信号の評価を実行する。いくつかの実施例において、この評価は信号電力測定である。いくつかの実施例において、この評価は受信信号で伝達された符号化された情報の抽出である。種々の実施例において、この評価は、受信信号の受信電力レベルと、受信信号で伝達された、抽出され符号化された情報の双方から情報を求めることを含む。動作はステップ１０６からステップ１０８へ進む。
【００１４】
ステップ１０８において、無線通信デバイスは、前記アップリンク周波数帯域における少なくともいくつかのピアツーピア信号送信について、前記第１の受信信号の評価結果としてピアツーピア送信電力を制御する。いくつかの実施例において、ピアツーピア送信電力を制御することは、ピアツーピア送信電力を、第１の受信信号電力レベルに対しては、第１の受信信号電力レベルより高い第２の受信信号電力レベルに対するよりも低いレベルに制限する第１の関数を用いることを含む。種々の実施例において、第１の関数は最大許容ピアツーピア送信電力レベルを決定する。動作はステップ１０８からステップ１１０へ進む。
【００１５】
ステップ１１０において、無線通信デバイスは、前記基地局から前記第１の信号が受信されている時間と異なる時間にダウンリンク周波数帯域で第２の信号を受信する。次に、ステップ１１２において、無線通信デバイスは第２の受信信号に関する評価を実行する。動作はステップ１１２からステップ１１４へ進む。
【００１６】
ステップ１１４において、無線通信デバイスは、ピアツーピア信号の送信を控えるべきかどうかを決定する。ステップ１１４において無線通信デバイスがピアツーピア信号の送信を控えるべきであると決定する場合、動作はステップ１１４からステップ１２０へ進む。ステップ１１４において無線通信デバイスが、ピアツーピア信号の送信が許可されていると決定する場合、動作はステップ１１４からステップ１１６へ進む。
【００１７】
ステップ１１６において、無線通信デバイスは第２の受信信号の評価から導出された情報の関数としてピアツーピア送信電力レベルを決定する。動作はステップ１１６からステップ１１８へ進む。そこで無線通信デバイスは決定されたピアツーピア送信電力レベルに従って、ピアツーピア信号を送信する。
【００１８】
ステップ１２０に戻り、ステップ１２０において、無線通信デバイスは、基地局からの別の信号を評価することによって無線通信デバイスがピアツーピア信号の送信を許可されていると決定されるまで、アップリンク周波数帯域でのピアツーピア通信の送信を控える。動作はステップ１１８またはステップ１２０からステップ１１０へ進む。そこで無線通信デバイスは基地局から別の信号を受信する。
【００１９】
図２は第１の通信帯域におけるピアツーピア通信からの干渉を制御するように基地局を動作させる代表的方法のフローチャート２００である。第１の通信帯域は、（ｉ）広域ネットワーク無線端末から基地局へ送られる広域ネットワークアップリンク信号伝送および（ｉｉ）２つのピアツーピア無線端末間のピアツーピア通信信号伝送、の双方に利用される。動作はステップ２０２で始まる。ここで代表的基地局は電源を投入され初期化されステップ２０４へ進む。ステップ２０４において、基地局は広域ネットワークアップリンク信号伝送への干渉を測定する。動作はステップ２０４からステップ２０６へ進む。ステップ２０６において、基地局はピアツーピアデバイスが発信源の干渉の寄与を推定する。次に、ステップ２０８において、基地局は第１のピアツーピア送信電力制御信号を生成し、ステップ２１０において、基地局は広域ネットワークアップリンク送信電力制御信号を生成する。動作はステップ２１０からステップ２１２へ進む。
【００２０】
ステップ２１２において、基地局は生成した第１のピアツーピア送信電力制御信号を、前記第１の通信帯域と異なる第２の通信帯域で送信する。次にステップ２１４において、基地局は生成した広域ネットワークアップリンク送信電力制御信号を前記第２の通信帯域で１つまたは複数の広域ネットワーク無線端末へ送信する。第２の通信帯域は、（ｉ）基地局から広域ネットワーク無線端末へ送られるダウンリンク信号および（ｉｉ）ピアツーピア無線端末へのピアツーピア送信電力制御信号の双方を伝送するために利用される。
【００２１】
いくつかの実施例において、第１の通信帯域は周波数分割二重（ＦＤＤ）広域ネットワーク（ＷＡＮ）アップリンク周波数帯域であり、第２の通信帯域は周波数分割二重（ＦＤＤ）広域ネットワーク（ＷＡＮ）ダウンリンク周波数帯域である。そのようないくつかの実施例において、アップリンク周波数帯域とダウンリンク周波数帯域は、非オーバラップであり、対応する対を形成する。他のいくつかの実施例において、第１の通信帯域はアップリンクのタイムスロットの間、基地局の時分割二重（ＴＤＤ）帯域である。第２の通信帯域はダウンリンクのタイムスロットの間、基地局時の同じ分割二重（ＴＤＤ）帯域である。図２４にピアツーピア信号伝送と共有する無線リンク資源を含む代表的ＷＡＮ  ＦＤＤスペクトル配置を示す。図２３にピアツーピア信号伝送と共有する無線リンク資源を含む代表的ＷＡＮ  ＴＤＤスペクトル配置を示す。
【００２２】
いくつかの実施例において、ピアツーピア送信電力制御信号はビーコン信号である。そのようないくつかの実施例において、ビーコン信号は最大３個のＯＦＤＭトーンを含み、ビーコン信号のこれらのトーンはピアツーピア信号の非ヌルトーンの平均トーンあたり送信電力レベルより少なくとも１０ｄＢ高いトーンあたり送信電力レベルを有する。
【００２３】
いくつかの実施例において、ピアツーピア送信電力制御信号は放送チャンネル信号である。そのようないくつかの実施例において、放送チャンネル信号は１組のＯＦＤＭトーンを含み、放送チャンネル信号のこれらのトーンは、ピアツーピア信号の非ヌルトーンの平均トーンあたり送信電力レベルより少なくとも３ｄＢ高いトーンあたり送信電力レベルを有する。
【００２４】
他のいくつかの実施例において、ピアツーピア送信電力制御信号はＣＤＭＡパイロット信号である。
【００２５】
動作はステップ２１４からステップ２１６へ進む。ステップ２１６において、基地局はＷＡＮアップリンク信号伝送への干渉を測定し、ステップ２１８において、基地局はピアツーピアデバイスに起因する干渉の寄与を推定する。動作はステップ２１８からステップ２２０へ進む。ステップ２２０において、基地局は１つまたは複数のピアツーピア無線端末に送信電力を変更する命令を行うかどうかを決定する。動作はステップ２２０からステップ２２２へ進む。ステップ２２２において、基地局がピアツーピア送信電力変更を命令すると判定した場合、動作はステップ２２２からステップ２２４へ進む。他の場合、動作はステップ２２２からステップ２２６へ進む。
【００２６】
ステップ２２４に戻り、ステップ２２４において、基地局は第２のピアツーピア送信電力制御信号を生成する。いくつかの実施例において、ステップ２２４はサブステップ２２８を含む。サブステップ２２８において、基地局は先行のピアツーピア送信電力制御信号内とは異なる前記第２のピアツーピア送信電力制御信号内の制御情報を符号化する。そのようないくつかの実施例において、この符号化された情報は、ピアツーピア送信電力レベルを調整する際、例えば最大許容ピアツーピア送信電力レベルを決定する際、にピアツーピア無線端末によって用いられることになる。動作はステップ２２４からステップ２３０へ進む。ステップ２３０において、基地局は生成した第２のピアツーピア送信電力制御信号を送信する。いくつかの実施例において、ステップ２３０はサブステップ２３２を含む。サブステップ２３２において、基地局は前記第２のピアツーピア送信電力制御信号を先行のピアツーピア送信電力制御信号が送信された時の電力レベルとは異なる送信電力レベルで送信する。そのようないくつかの実施例において、ピアツーピア送信電力制御信号の受信電力レベルは、ピアツーピア送信電力レベルを調整する際、例えば最大許容ピアツーピア送信電力レベルを決定する際、にピアツーピア無線端末によって用いられることになる。
【００２７】
ステップ２２６に戻り、ステップ２２６において、基地局は前に送信したピアツーピア送信電力制御信号を再送信する。動作はステップ２３０またはステップ２２６からステップ２１６へ進む。そこで、ＷＡＮアップリンク信号伝送への干渉が測定される。
【００２８】
図３は種々の実施例に従って基地局のＷＡＮアップリンク帯域でピアツーピア通信をサポートする代表的無線通信デバイス２３００、例えば移動ノードのような無線端末の図である。代表的無線通信デバイス２３００は、基地局のダウンリンク周波数帯域で基地局から信号を受信する。この信号を、基地局のアップリンク帯域でピアツーピア信号を送信することを通信デバイスは許可されているかどうかを決定する際、および／またはピアツーピア送信電力レベル情報、例えば最大ピアツーピア送信電力レベルを決定する際に利用する。
【００２９】
無線通信デバイス２３００は、バス２３１２を介して互いに接続された受信機モジュール２３０２、送信機モジュール２３０４、ユーザＩ／Ｏデバイス２３０８、プロセッサ２３０６、およびメモリー２３１０を含む。このバス上で種々の要素がデータおよび情報を交換するかもしれない。メモリー２３１０はルーチン２３１８およびデータ／情報２３２０を含む。
【００３０】
プロセッサ２３０６、例えばＣＰＵはメモリー２３１０内ルーチン２３１８を実行し、データ／情報２３２０を用いて無線通信デバイス２３００の動作を制御し、方法、例えば図１のフローチャート１００の方法を実施する。
【００３１】
受信機モジュール２３０２、例えばＯＦＤＭ受信機は受信アンテナ２３１４に接続される。このアンテナを介して無線通信デバイス２３００は基地局からの信号、例えばビーコン信号または放送チャネルの非ビーコン信号を受信する。前記受信信号はピアツーピア送信電力レベル情報を決定する際に用いられ、前記受信信号は基地局のダウンリンク周波数帯域で受信される。また、受信機モジュール２３０２は基地局のアップリンク周波数帯域でのピアツーピア通信信号を受信する。いくつかの実施例において、無線通信デバイス２３００がセルラ通信デバイスとして動作している状態で、いくつかの期間に、受信機モジュール２３０２はダウンリンク信号、例えば割当信号およびトラヒック信号を、無線通信デバイスが広域ネットワークの接続点として用いている基地局から受信する。
【００３２】
送信機モジュール２３０４、例えばＯＦＤＭ送信機は、送信アンテナ２３１６に接続される。このアンテナを介して無線通信デバイス２３００は基地局のアップリンク周波数帯域を用いてピアツーピア信号を他の無線通信デバイスへ送信する。いくつかの実施例において、いくつかの期間に、送信機モジュール２３０４は、無線通信デバイスがＷＡＮの動作モード、例えばセルラ動作モードで動作している状態で、アップリンク信号を基地局に送信する。
【００３３】
ユーザＩ／Ｏデバイス２３０８は、例えばマイクロホン、キーボード、キーパッド、マウス、カメラ、スイッチ、スピーカ、ディスプレイなどを含む。ユーザＩ／Ｏデバイス２３０８により、無線通信デバイス２３００のユーザはデータ／情報の入力、出力データ／情報へのアクセス、および無線通信デバイス２３００の少なくともいくつかの機能の制御、例えばピアツーピア通信セッションを開始する試み、が可能となる。
【００３４】
ルーチン２３１８は信号処理モジュール２３２２、ピアツーピア送信電力制御モジュール２３２４、およびピアツーピア認可モジュール２３２６を含む。種々の実施例において、無線通信デバイス２３００は１つ以上のピアツーピア送信電力制御ビーコン識別モジュール２３２８およびピアツーピア送信電力制御放送信号識別モジュール２３３０を含む。信号処理モジュール２３２２は、種々の実施例において、１つ以上の電力測定モジュール２３３３および復号器モジュール２３３５を含む。
【００３５】
データ／情報２３２０はタイミング／周波数構造情報２３３６、ピアツーピア送信電力制御情報を伝達する受信信号２３３８、および決定済ピアツーピア電力制御情報２３４０を含む。データ／情報２３２０は、種々の実施例において、１つ以上のピアツーピア送信制御基地局発信のビーコン特性情報２３３２、およびピアツーピア送信電力制御基地局発信の放送チャネル特性情報２３３４を含む。
【００３６】
ピアツーピア送信電力制御基地局発信のビーコン特性情報２３３２はトーン情報２３４２、電力情報２３４４、および時間情報２３４６を含む。ピアツーピア送信電力制御基地局発信の放送チャネル特性情報２３３４はトーン情報２３４８、電力情報２３５０、および時間情報２３５２を含む。タイミング／周波数構造情報２３３６は、１つ以上のＴＤＤ基地局無線リンク資源構造情報２３５４、およびＦＤＤ基地局無線リンク資源構造情報２３５６を含む。
【００３７】
信号処理モジュール２３２２はダウンリンク周波数帯域で受信された基地局からの受信信号の評価を実行する。前記受信信号は無線通信デバイス２３００のピアツーピア送信電力に作用するために用いられる。電力測定モジュール２３３３は受信信号の受信電力を測定する。復号器モジュール２３３５は受信信号内で伝達された符号化された情報を抽出する。いくつかの実施例において、信号処理モジュール２３２２は受信信号の受信電力レベルを測定する電力測定モジュール２３３３および受信信号内で伝達された符号化された情報を抽出する復号器モジュール２３３５の双方を含み、評価することは受信信号の受信電力レベルおよび受信信号内で伝達された抽出情報の双方から情報を得ることを含む。
【００３８】
いくつかの実施例において、基地局からの受信信号はビーコン信号である。例えば、受信信号は最大３個のＯＦＤＭトーンを含むビーコン信号であり、ビーコン信号のこれらのトーンはピアツーピア信号の非ヌルトーンの平均トーンあたり送信電力レベルより少なくとも１０ｄＢ高いトーンあたり送信電力レベルで送信される。
【００３９】
いくつかの実施例において、基地局からの受信信号は放送チャネル信号である。例えば、受信信号は１組のＯＦＤＭトーンを含む放送チャネル信号であり、放送チャネル信号のこれらのトーンはピアツーピア信号の非ヌルトーンの平均トーンあたり送信電力レベルより少なくとも３ｄＢ高いトーンあたり送信電力レベルで送信される。
【００４０】
他のいくつかの実施例において、基地局からの受信信号はＣＤＭＡパイロット信号である。そのようないくつかの実施例において、ＣＤＭＡパイロット信号の受信電力レベルは無線通信デバイス２３００においてピアツーピア送信電力レベルを決定する際に無線通信デバイスによって入力として用いられる。
【００４１】
ピアツーピア送信電力制御モジュール２３２４は、基地局のアップリンク周波数帯域における少なくともいくつかのピアツーピア送信信号に対して、ダウンリンク周波数帯域の基地局からの受信信号の評価結果の関数としてピアツーピア送信電力を制御する。種々の実施例において、ピアツーピア送信電力制御モジュール２３２４は、ピアツーピア送信電力を、第１の受信信号電力レベルに対しては、前記第１の受信信号電力レベルより高い第２の受信信号電力レベルに対するよりも低く制限する第１の関数を用いて制御する。例えば、受信電力の与えられた入力範囲に対し、最大許容ピアツーピア送信電力レベルは逆線形関係に従う。種々の実施例において、前記第１の関数は最大許容ピアツーピア送信電力を決定する。実際のピアツーピア送信電力はその決定済最大許容ピアツーピア送信電力レベル以下になるように制御される。
【００４２】
ピアツーピア認可モジュール２３２６は、基地局からの受信信号の評価から、アップリンク周波数帯域でピアツーピア通信信号の送信を無線通信デバイスが認可されているかどうかを決定する。ピアツーピア送信電力制御ビーコン識別モジュール２３２８は、ピアツーピア送信電力制御基地局発信のビーコン特性情報２３３２を含むメモリー２３１０内の情報を用いて、ピアツーピア電力送信電力制御で用いられる基地局発信のビーコン信号を、基地局のダウンリンク周波数帯域で伝達される複数の信号の中から識別する。ピアツーピア送信電力制御放送信号識別モジュール２３３０は、ピアツーピア送信制御基地局発信の放送信号特性情報２３３４を含むメモリー２３１０内の情報を用いて、ピアツーピア電力送信電力制御で用いられる基地局発信の非ビーコン放送信号を、基地局のダウンリンク周波数帯域で伝達される複数の信号の中から識別する。
【００４３】
トーン情報２３４２は、例えばピアツーピア送信電力制御に用いられるビーコン信号におけるＯＦＤＭトーンの数と位置を識別する情報を含む。電力情報２３４４はビーコン信号の電力レベルを識別する情報、例えば受信されたビーコンを他のダウンリンク受信信号の中から区別するために用いられる情報、を含む。また、電力情報２３４４は受信されたビーコン信号の電力レベルをピアツーピア送信電力制御情報に関係づけるために用いられる情報を含む。時間情報２３４６は、例えばピアツーピア送信電力制御に用いられるように指示されたビーコン信号の循環ダウンリンクタイミング構造における位置を識別する情報、例えばＯＦＤＭシンボルインデックス情報を含む。
【００４４】
トーン情報２３４８は、例えばピアツーピア送信電力制御に用いられる放送信号におけるＯＦＤＭトーンの数と位置を識別する情報を含む。電力情報２３５０は放送信号の電力レベルを識別する情報、例えばピアツーピア電力制御に用いられるように指示された受信放送信号を他のダウンリンク受信信号の中から区別するために用いられる情報を含む。また、電力情報２３５０は受信放送信号電力レベルをピアツーピア送信電力制御情報に関係づけるために用いられる情報を含む。時間情報２３５２は、例えばピアツーピア送信電力制御に用いられるように指示された放送信号の循環ダウンリンクタイミング構造における位置を識別する情報、例えばＯＦＤＭシンボルインデックス情報を含む。
【００４５】
ＴＤＤ基地局の無線リンク資源構造情報２３５４はＷＡＮ基地局によって用いられるＴＤＤ帯域を識別する情報を含む。例えば、情報２３５４は、アップリンクのタイムスロットの間の基地局ＴＤＤ帯域に対応するアップリンク周波数帯域を識別する情報、およびダウンリンクのタイムスロットの間の基地局ＴＤＤ帯域に対応するダウンリンク周波数帯域を識別する情報を含む。
【００４６】
ＦＤＤ基地局無線リンク資源構造情報２３５６は異なる非オーバラップＦＤＤ  ＷＡＮ基地局通信帯域を識別する情報を含む。例えば、情報２３５６はＦＤＤ  ＷＡＮ帯域であるアップリンク周波数帯域を識別する情報、および異なるＦＤＤ  ＷＡＮ帯域であるダウンリンク周波数帯域を識別する情報を含む。これらのアップリンク帯域およびダウンリンク帯域は対を形成している。
【００４７】
ピアツーピア送信電力制御情報を伝達する受信信号２３３８、例えばビーコン信号または非ビーコン放送チャネル信号は、受信機モジュール２３０２で受信される。この信号は識別モジュール２３２８、２３３０の１つで識別されており、信号処理モジュール２３２２で処理される。決定済ピアツーピア電力制御情報２３４０は、ピアツーピア信号の送信を無線通信デバイス２３００が許可されているか否かを識別する情報、決定済最大許容ピアツーピア送信電力レベルを識別する情報、および／または決定済の実際のピアツーピア送信電力レベルを識別する情報を含む。
【００４８】
図４は種々の実施例に従う、代表的基地局２４００の図である。代表的基地局２４００は広域ネットワークアップリンク通信に用いられる同じ無線リンク資源で送信するピアツーピア無線端末からの受信干渉を処理する。例えば、（ｉ）広域ネットワーク無線端末から基地局２４００へ送られる広域ネットワークアップリンク信号伝送、および（ｉｉ）２つのピアツーピア無線端末間のピアツーピア通信信号伝送の双方に同じ第１の通信帯域が利用される。代表的基地局２４００は、ピアツーピア無線端末の送信電力レベルを決定する際にピアツーピア無線端末が利用する電力制御信号を決定し、ダウンリンク周波数帯域で送信する。代表的基地局２４００は、ＷＡＮ無線端末のアップリンク送信電力をＷＡＮ無線端末が決定する際に利用する別の電力制御信号を決定し、ダウンリンク周波数帯域で送信する。このように、第２の通信帯域は、（ｉ）広域ネットワーク無線端末へその送信電力を制御するために送られるダウンリンク信号、および（ｉｉ）ピアツーピア通信デバイスへのピアツーピア電力制御信号の双方を伝達するために利用される。
【００４９】
代表的基地局２４００はバス２４１２を介して互いに接続された受信機モジュール２４０２、送信機モジュール２４０４、プロセッサ２４０６、Ｉ／Ｏインターフェース２４０８、およびメモリー２４１０を含み、このバス上で種々の要素がデータおよび情報を交換するかもしれない。
【００５０】
受信機モジュール２４０２、例えばＯＦＤＭ受信機は受信アンテナ２４１４に接続され、このアンテナを介して基地局２４００は、無線端末、例えばセルラモードで動作しネットワーク接続点として基地局２４００を用いる無線端末、からのアップリンク信号を受信する。また、受信機モジュール２４０２は周辺で動作しているピアツーピア通信デバイスから干渉を受ける。また、いくつかの実施例において、受信機モジュール２４０２は隣接セル内のセルラデバイスからのアップリンク信号伝送から干渉を受ける。
【００５１】
送信機モジュール２４０４、例えば、ＯＦＤＭ送信機は、送信アンテナ２４１６に接続される。このアンテナを介して基地局２４００は、ネットワーク接続点として基地局２４００を用いる無線端末へダウンリンク信号を送信する。そのようなダウンリンク信号はＷＡＮ無線端末に送られる電力制御信号を含む。また送信機モジュール２４０４は、複数のピアツーピア無線端末がそれらの送信電力レベルを制御するために用いる生成された送信電力制御信号、例えば信号２４４４を基地局のダウンリンク帯域で送信する。これらのピアツーピア無線端末はピアツーピア信号伝送用の基地局のアップリンク帯域を用い、従って基地局受信機モジュール２４０２から見た干渉を発生させる。
【００５２】
メモリー２４１０はルーチン２４１８およびデータ／情報２４２０を含む。プロセッサ２４０６、例えばＣＰＵは、ルーチン２４１８を実行し、メモリー２４１０内のデータ／情報２４２０を用いて基地局２４００の動作を制御し、方法、例えば図２のフローチャート２００の方法を実施する。
【００５３】
ルーチン２４１８は干渉測定モジュール２４２２、ピアツーピア信号伝送制約決定モジュール２４２６、ピアツーピア送信電力制御信号生成モジュール２４２８、および広域ピアツーピア送信電力信号生成モジュール２４３０を含む。いくつかの実施例において、ルーチン２４１８は干渉形式分類モジュール２４２４を含む。種々の実施例において、ルーチン２４１８は送信電力制御モジュール２４３２を含む。
【００５４】
データ／情報２４２０は干渉情報２４３６、広域ネットワークアップリンクロード情報２４３８、ピアツーピア送信制御情報２４４０、広域ネットワーク送信制御情報２４４２、生成されたピアツーピア送信電力制御信号２４４４、生成された広域ネットワーク無線端末送信電力制御信号２４４６、およびタイミング／周波数構造情報２４４８を含む。データ／情報２４２０は１つ以上のピアツーピア送信制御基地局発信のビーコン特性情報２４５０およびピアツーピア送信制御基地局発信の放送チャネル特性情報２４５２を含む。タイミング／周波数構造情報２４４８は１つ以上のＴＤＤ基地局無線リンク資源構造情報２４５４、およびＦＤＤ基地局無線リンク資源構造情報２４５６を含む。ピアツーピア送信電力制御基地局発信のビーコン特性情報２４５０はトーン情報２４５８、電力情報２４６０、および時間情報２４６２を含む。ピアツーピア送信電力制御基地局発信の放送チャネル特性情報２４５２はトーン情報２４６４、電力情報２４６６、および時間情報２４６８を含む。
【００５５】
ピアツーピア送信電力制御信号生成モジュール２４２８はピアツーピア送信制御情報２４４０を含むデータ／情報２４２０を用いてピアツーピア送信電力制御信号、例えば信号２４４４を生成する。
【００５６】
広域ネットワーク送信電力制御信号生成モジュール２４３０は広域ネットワーク送信電力制御信号、例えば信号２４４６を生成する。
【００５７】
いくつかの実施例、例えばピアツーピア送信電力制御信号の受信電力がピアツーピア無線端末のピアツーピア送信電力を調整する際にピアツーピア無線端末によって用いられる実施例、に含まれる送信電力制御モジュール２４３２は、伝達されるべきピアツーピア送信電力制御情報の関数として生成したピアツーピア送信電力制御信号を異なる電力レベルで送信するように、送信機モジュール２４０４を制御する。例えば、送信電力制御モジュール２４３２は、第２のピアツーピア送信電力制御信号を第１のピアツーピア送信電力制御信号と異なる電力レベルで送信するように送信機モジュール２４０４を制御する。またピアツーピア送信電力制御信号の受信電力はピアツーピア無線端末がピアツーピア送信電力レベルを調整する際にピアツーピア無線端末によって用いられることになる。
【００５８】
いくつかの実施例において、ピアツーピア送信電力制御信号生成モジュール２４２８はピアツーピア送信電力制御情報を、生成されたピアツーピア送信電力制御信号に符号化するための符号器モジュール２４３４を含む。例えば、符号器モジュール２４３４は第１のピアツーピア送信電力制御信号内とは異なる符号化制御情報を第２のピアツーピア送信電力制御信号内に符号化し、この符号化された情報はピアツーピア送信電力レベルを調整する際にピアツーピア無線端末によって用いられることになる。
【００５９】
ピアツーピア信号伝送制約決定モジュール２４２６は、ピアツーピア信号伝送が第１の通信帯域内、例えば基地局のアップリンク通信帯域で許可されているかどうか、またはピアツーピア通信が前記第１の通信帯域内で制約されているかどうかを決定する。種々の実施例において、ピアツーピア信号伝送制約決定モジュール２４２６は判定の際に干渉情報２４３６および／またはＷＡＮアップリンクロード情報２４３８を利用する。ピアツーピア制約決定モジュール２４２６の判定は生成されたピアツーピア送信電力制御信号２４４４を介して伝達される。
【００６０】
干渉測定モジュール２４２２はネットワーク接続点として基地局２４００を用いるＷＡＮ無線端末からのＷＡＮアップリンク信号を受信し復元しようとする受信機モジュール２４０２から見た干渉を測定する。干渉は、隣接基地局のセル内の隣接セルＷＡＮ無線端末アップリンク信号伝送と、同じアップリンク通信帯域を用いるピアツーピア信号伝送とを含む複数の送信源から発生するかもしれないし、時には発生する。干渉形式分離モジュール２４２４はピアツーピア信号伝送に起因する干渉と、他の送信源、例えば隣接基地局を接続点として用いるＷＡＮ  ＷＴからのアップリンク信号からの干渉性信号伝送とを区別する。ピアツーピア信号伝送制約決定モジュール２４２６、ピアツーピア送信電力制御信号生成モジュール２４２８および／または送信電力制御モジュール２４３２は、ピアツーピア送信電力レベルを制御するための判定を行う際にモジュール２４２２および／若しくは２４２４並びに／またはＷＡＮロード情報２４３８からの干渉情報を用いる。
【００６１】
トーン情報２４５８は、例えば、ビーコン信号であるピアツーピア送信電力制御信号を生成するためにモジュール２４２８によって用いられるＯＦＤＭトーンの数と位置を識別する情報を含む。いくつかの実施例において、ビーコン信号は最大３個のＯＦＤＭトーンを含む。電力情報２４６０、例えばビーコントーン送信電力レベルを識別する情報はビーコン信号であるピアツーピア送信電力制御信号を生成するためにモジュール２４２８によって用いられる。いくつかの実施例において、ビーコン信号のトーンはピアツーピア信号の非ヌルトーンの平均トーンあたり送信電力レベルより少なくとも１０ｄＢ高いトーンあたり送信電力レベルを有する。また電力情報２４６０は、いくつかの実施例において、ビーコン信号送信電力変動を、伝達されたピアツーピア送信電力情報の変化に関係づけるために用いられる情報を含む。そのような電力変動情報はいくつかの実施例において送信電力制御モジュール２４３２で利用される。ここでビーコン信号の受信電力レベルがピアツーピア送信電力に関する情報を伝達する。時間情報２４６２は、例えばピアツーピア送信電力制御に用いられるように指示されたビーコン信号の循環ダウンリンクタイミング構造における位置を識別する情報、例えばＯＦＤＭシンボルインデックス情報を含む。
【００６２】
トーン情報２４６４は、例えば、放送チャネル信号であるピアツーピア送信電力制御信号を生成するためにモジュール２４２８によって用いられるＯＦＤＭトーンの数と位置を識別する情報を含む。電力情報２４６６、例えば、トーン送信電力レベルを識別する情報は、放送チャネル信号であるピアツーピア送信電力制御信号を生成するためにモジュール２４２８によって用いられる。いくつかの実施例において、ピアツーピア送信電力制御情報を伝達するために用いられる基地局放送チャネル信号のトーンはピアツーピア信号の非ヌルトーンの平均トーンあたり送信電力レベルより少なくとも３ｄＢ高いトーンあたり送信電力レベルを有する。また電力情報２４６６は、いくつかの実施例において、放送チャネル信号送信電力変動を、伝達されたピアツーピア送信電力情報の変化に関係づけるために用いられる情報を含む。そのような電力変動情報はいくつかの実施例において送信電力制御モジュール２４３２で利用される。ここで放送チャネル信号の受信電力レベルがピアツーピア送信電力に関する情報を伝達する。時間情報２４６８は、例えばピアツーピア送信電力制御に用いられるように指示された放送チャネル信号の循環ダウンリンクタイミング構造における位置を識別する情報、例えばＯＦＤＭシンボルインデックス情報を含む。
【００６３】
基地局２４００がＷＡＮ信号伝送にＴＤＤを用いる一実施例において、ＴＤＤ基地局無線リンク資源構造情報２４５４はＷＡＮ基地局によって用いられるＴＤＤ帯域を識別する情報を含む。例えば情報２４５４は（ｉ）アップリンクのタイムスロットの間の基地局ＴＤＤ帯域に対応するアップリンク周波数帯域を識別する情報、および（ｉｉ）ダウンリンクのタイムスロットの間の基地局ＴＤＤ帯域に対応するダウンリンク周波数帯域を識別する情報を含む。また、ＴＤＤ基地局無線リンク資源構造情報２４５４は、ピアツーピア送信電力制御信号、例えばピアツーピア送信電力制御に用いられるビーコンまたは放送チャネル信号を伝達するために用いられるように指示されたＴＤＤ帯域のダウンリンクタイムスロット内の無線リンク資源を識別する情報を含む。
【００６４】
基地局がＷＡＮ信号伝送にＦＤＤを用いる一実施例において、ＦＤＤ基地局無線リンク資源構造情報２４５６は異なる非オーバラップＦＤＤ  ＷＡＮ基地局通信帯域を識別する情報を含む。例えば、情報２４５６はＦＤＤ  ＷＡＮ帯域であるアップリンク周波数帯域を識別する情報、および別のＦＤＤ  ＷＡＮ帯域であるダウンリンク周波数帯域を識別する情報を含む。これらのアップリンク帯域およびダウンリンク帯域は対を形成している。また、ＦＤＤ基地局無線リンク資源構造情報２４５６は、どのダウンリンクＦＤＤ帯域の無線リンク資源がピアツーピア送信電力制御信号、例えばピアツーピア送信電力制御に用いられるビーコンまたは放送チャネル信号を伝達するために用いられるように指示されたかを識別する情報を含む。
【００６５】
いくつかの実施例において、少なくともいくつかの生成されたＷＡＮ無線端末送信電力制御信号は個々の識別されたＷＡＮ無線端末に送られ、生成されたピアツーピア送信電力制御信号はいかなる特定の識別されたピアツーピア無線端末にも送られず、むしろ周辺にある任意のピアツーピア無線端末に送られる。いくつかの実施例において、少なくともいくつかの送信されたＷＡＮ無線端末電力制御信号は無線端末識別子を含み、送信されたピアツーピア送信電力制御信号は無線端末識別子を含まない。
【００６６】
図５は種々の実施例に従って、アップリンク周波数帯域のピアツーピア信号伝送をサポートする無線通信デバイスを動作させる代表的方法のフローチャート７００である。動作はステップ７０２で始まる。ここで無線通信デバイスは電源を投入され、初期化されステップ７０４へ進む。ステップ７０４において無線通信デバイスは前記基地局によって用いられるダウンリンク周波数帯域で基地局からの第１の信号、例えば参照および／または制御信号を受信する。参照および／または制御信号を伝達するために基地局のダウンリンク帯域を用いるこの方法は、基地局がピアツーピア無線端末用に意図された第１の信号を放送信号の部分またはセットとして容易に含めることができるため、基地局から見て簡単である。いくつかの実施例において、第１の信号はビーコン信号である。他の実施例において、第１の信号は非ビーコン放送チャンネル信号である。ピアツーピア無線通信デバイスは、第１の信号に対して基地局のダウンリンク帯域を監視し、ピアツーピア信号を他のピアノードと交換するために基地局のアップリンク帯域を用いる。いくつかの実施例において、ピアツーピア無線通信デバイスは（ｉ）基地局からの参照および／または制御信号を受信するための基地局のダウンリンク帯域および（ｉｉ）他のピアツーピア無線通信デバイスからのピアツーピア信号を受信するための基地局のアップリンク帯域の双方から信号を受信できるように、同時に複数帯域に同調できる受信機を含む。いくつかの実施例において、ピアツーピア無線通信デバイスは所与の時間に単一の帯域だけからの受信をサポートする。また、ピアツーピアデバイスの受信機は基地局のダウンリンク帯域と基地局のアップリンク帯域を、ダウンリンク放送参照および／若しくは制御信号を基地局から受信することになるかどうか、またはピアツーピア通信信号をピア通信デバイスから受信することになるかどうかの関数として、切り換える。
【００６７】
動作はステップ７０４からステップ７０６へ進む。ステップ７０６において、無線通信デバイスは受信信号に関する測定、例えば信号電力測定を実行する。動作は１つ以上のステップ７０８および７２２へ進む。いくつかの実施例において、無線通信デバイスはピアツーピア信号伝送をサポートするが、基地局へのアップリンク信号伝送を例えばセルラネットワークの構成要素としてサポートすることはない。そのような実施例においてはステップ７２２は選択肢ではない。いくつかの実施例において、無線通信デバイスは任意の所与の時間にピアツーピア動作モードとセルラ動作モードの１つをサポートし、所与の時間に、動作はステップ７０８とステップ７２２の１つへ進むことができる。いくつかの実施例において、無線通信デバイスは同時に発生するピアツーピア信号伝送とセルラ信号伝送をサポートし、動作はステップ７０６からステップ７０８およびステップ７２２へ進み得る。
【００６８】
動作はピアツーピア信号伝送についてはステップ７０６からステップ７０８へ進み、一方基地局へのアップリンク信号についてはステップ７０６からステップ７２２へ進む。ステップ７０８において、無線通信デバイスは第１の信号の測定結果の関数として少なくともいくつかのピアツーピア信号送信のためのピアツーピア送信電力を制御する。ステップ７０８はサブステップ７１０および７１２を含む。サブステップ７１０において、無線通信デバイスは第１の関数を用いて最大許容ピアツーピア送信電力レベルを決定する。この関数はピアツーピア送信電力を、第１の受信信号電力レベルに対しては前記第１の受信信号電力レベルより高い第２の受信信号電力レベルに対するよりも低いレベルに制限する。次に、サブステップ７１２において、無線通信デバイスは、決定済最大ピアツーピア送信電力レベルと第２のピアツーピア通信デバイスから受信したピアツーピア信号との関数として実際のピアツーピア送信電力レベルを決定する。第２のピアツーピア通信デバイスは、例えば、フローチャート７００の動作を実行する通信デバイスがピアツーピア通信セッションを行っている相手のピアデバイスである。したがって、いくつかの実施例において、ピアツーピア送信電力レベルは、受信した基地局信号とピアツーピア信号の双方から影響を受ける。いくつかの実施例において、ピアツーピア信号は、以下の少なくとも１つを伝達および／または導出するために用いられる。すなわち、ピアツーピアチャネル状態情報、ピアツーピアデータレート情報、ピアツーピアデータバックログ情報、ピアツーピアレイテンシ情報、雑音情報、誤り率情報、サービスレベル情報、およびピアツーピア電力制御情報。いくつかの実施例において、実際のピアツーピア送信電力は決定済最大ピアツーピア送信電力レベル以下に制約される。いくつかの実施例において、少なくともいくつかの条件、例えば高優先度のユーザまたは一定のサービスレベルに対して、実際のピアツーピア送信レベルは受信した基地局信号に基づく決定済最大ピアツーピア送信電力レベルの範囲を時には越え、例えば無効にする。動作はステップ７０８からステップ７１４へ進む。
【００６９】
ステップ７１４において、無線通信デバイスは、前記第１の信号が受信された時間と異なる時間にダウンリンク周波数帯域で基地局から第２の信号を受信する。次に、ステップ７１６において、無線通信デバイスは受信した第２の信号の測定、例えば受信した第２の信号の電力測定を実行する。動作はステップ７１６からステップ７１８へ進む。そこでは、無線通信デバイスがその無線通信デバイスはアップリンク周波数帯域でピアツーピア通信信号を送信することを控えるべきであることを第２の受信信号の測定電力から決定する。動作はステップ７１８からステップ７２０へ進む。ステップ７２０において、ピアツーピア信号を送信することを通信デバイスは控えるべきであると決定した後、基地局からの別の信号の電力測定から無線通信デバイスはアップリンク周波数帯域でピアツーピア信号を送信することを許可されると決定するまで、無線通信デバイスはアップリンク周波数帯域でピアツーピア通信信号を送信することを控える。
【００７０】
ステップ７２２に戻り、ステップ７２２において、無線通信デバイスは送信される信号の送信電力を制御し、少なくともいくつかのピアツーピア信号送信に用いられる前記ピアツーピア送信電力レベルより大きい送信電力レベルへ制御する。ステップ７２２はサブステップ７２４を含む。サブステップ７２４において、無線通信デバイスは、第１の受信信号の測定電力に基づいて前記基地局へ送信される前記信号の送信電力の決定するために、前記基地局への送信電力を制御する際に、前記第１の関数と異なる第２の関数を用いる。いくつかの実施例において、ピアツーピア送信信号電力レベルは基地局へ送信される前記信号の送信電力レベルより少なくとも１０ｄＢ低い。
【００７１】
図６は種々の実施例に従って、基地局のＷＡＮアップリンク帯域でピアツーピア通信をサポートする代表的無線通信デバイス２９００、例えば移動ノードのような無線端末の図である。代表的無線通信デバイス２９００は、基地局のダウンリンク周波数帯域で基地局から信号を受信する。無線通信デバイスは、基地局のアップリンク帯域でピアツーピア信号を送信することを無線通信デバイスは許可されているか否かを決定する際、および／またはピアツーピア送信電力レベル情報、例えば最大ピアツーピア送信電力レベルを決定する際に、この信号を利用する。
【００７２】
無線通信デバイス２９００はバス２９１２を介して互いに接続された受信機モジュール２９０２、送信機モジュール２９０４、ユーザＩ／Ｏデバイス２９０８、プロセッサ２９０６、およびメモリー２９１０を含む。このバス上で種々の要素がデータおよび情報を交換するかもしれない。メモリー２９１０はルーチン２９１８およびデータ／情報２９２０を含む。
【００７３】
プロセッサ２９０６、例えばＣＰＵはメモリー２９１０内のルーチン２９１８を実行し、データ／情報２９２０を用いて、無線通信デバイス２９００の動作を制御し、方法を実施する。
【００７４】
受信機モジュール２９０２、例えばＯＦＤＭ受信機は受信アンテナ２９１４に接続される。このアンテナを介して無線通信デバイス２９００は基地局からの信号、例えばビーコン信号または放送チャネル非ビーコン信号を受信する。前記受信信号はピアツーピア送信電力レベル情報を決定する際に用いられ、前記受信信号は基地局のダウンリンク周波数帯域で受信される。また、受信機モジュール２９０２は基地局のアップリンク周波数帯域でピアツーピア通信信号を受信する。いくつかの実施例において、無線通信デバイス２９００がセルラ通信デバイスとして動作している状態で、いくつかの期間に、受信機モジュール２９０２はダウンリンク信号、例えば割当信号およびトラヒック信号を無線通信デバイスが広域ネットワークの接続点として用いている基地局から受信する。
【００７５】
送信機モジュール２９０４、例えばＯＦＤＭ送信機は、送信アンテナ２９１６に接続される。このアンテナを介して無線通信デバイス２９００は基地局のアップリンク周波数帯域を用いてピアツーピア信号を他の無線通信デバイスへ送る。いくつかの実施例において、いくつかの期間に、送信機モジュール２９０４は、無線通信デバイスがＷＡＮの動作モード、例えばセルラ動作モードで動作している状態で、アップリンク信号を基地局に送信する。
【００７６】
ユーザＩ／Ｏデバイス２９０８は、例えば、マイクロホン、キーボード、キーパッド、マウス、カメラ、スイッチ、スピーカ、ディスプレイなどを含む。ユーザＩ／Ｏデバイス２９０８により、無線通信デバイス２９００のユーザはデータ／情報の入力、出力データ／情報へのアクセス、および無線通信デバイス２９００の少なくともいくつかの機能の制御、例えばピアツーピア通信セッションを開始する試み、が可能となる。
【００７７】
ルーチン２９１８は通信ルーチン２９２２および無線端末制御ルーチン２９２４を含む。通信ルーチン２９２２は無線通信デバイス２９００によって用いられる種々の通信プロトコルを実施する。無線端末制御ルーチン２９２４は測定モジュール２９２６、認可モジュール２９４０、ピアツーピア送信制御モジュール２９４１、およびピアツーピア送信電力制御モジュール２９２８を含む。いくつかの実施例、例えばピアツーピア通信およびセルラ通信のようなＷＡＮ通信の双方をサポートする実施例において、無線端末制御ルーチン２９２４は広域ネットワーク送信電力制御モジュール２９３６を含む。
【００７８】
測定モジュール２９２６は基地局からの受信信号に関する測定を実行する。信号（２９４２、２９４４）は測定モジュール２９２６の入力を表し、一方情報（２９４６、２９４８）は測定モジュール２９２６の出力を表す。種々の実施例において、測定モジュール２９２６の測定値は信号電力測定値である。
【００７９】
認可モジュール２９４０は受信した基地局信号の測定電力から無線通信デバイス２９００がピアツーピア信号を送信することを控えるべきであることを決定でき、時には決定する。認可モジュール２９４０は受信した基地局信号の測定電力から、無線通信デバイス２９００がピアツーピア信号を送信することを許可されることを決定でき、時には決定する。ピアツーピア送信認可状態２９５０は認可モジュール２９４０の出力であり、ピアツーピア送信制御モジュール２９４１によって入力として用いられる。
【００８０】
ピアツーピア送信制御モジュール２９４１は、無線送信モジュール２９０４を制御し、ピアツーピア信号を送信することを通信デバイス２９００は控えるべきであると決定した後、ピアツーピア信号を送信することを無線通信デバイスは許可されると決定するまで、ピアツーピア通信信号を送信することを控える。このように、ピアツーピア送信制御モジュール２９４１は、ピアツーピア送信認可状態２９５０を用いてピアツーピア送信の動作可能／不能制御器として機能する。
【００８１】
ピアツーピア送信電力制御モジュール２９２８は少なくともいくつかのピアツーピア信号の伝送のためのピアツーピア送信電力を、受信された基地局信号の測定結果の関数として制御する。ピアツーピア送信電力制御モジュール２９２８は最大ピアツーピア送信電力レベル決定サブモジュール２９３０、実際のピアツーピア送信電力レベル決定サブモジュール２９３２、および第１の関数２９３４を含む。ピアツーピア送信電力制御モジュール２９２８は、ピアツーピア送信電力を第１の受信信号電力レベルに対しては、第１の受信信号電力レベルより高い第２の受信信号電力レベルに対するよりも低く制限する、第１の関数２９３４を用いる。種々の実施例において、ピアツーピア送信電力制御モジュール２９２８はピアツーピア送信電力を、より大きな測定された受信信号電力レベルに応じて、より低いレベルに制限する。
【００８２】
最大ピアツーピア送信電力レベルサブモジュール２９３０は、第１の関数２９３４を用いて最大ピアツーピア送信電力レベルを決定する。実際のピアツーピア送信電力レベルサブモジュール２９３２は、前記最大ピアツーピア送信電力レベルと第２のピアツーピア通信デバイスから受信したピアツーピア信号との関数として実際のピアツーピア信号送信電力レベルを決定する。種々の実施例において、サブモジュール２９３２は決定済の実際のピアツーピア送信電力レベルを最大ピアツーピア送信電力レベル以下になるように制御する。
【００８３】
広域ネットワーク送信電力制御モジュール２９３６は基地局へ送信される信号の送信電力を制御し、少なくともいくつかのピアツーピア信号送信に用いられる前記ピアツーピア送信電力レベルより大きい送信電力レベルにする。ＷＡＮ送信電力制御モジュール２９３６は第１の関数２９３４と異なる第２の関数２９３８を含む。広域ネットワーク送信電力制御モジュール２９３６、前記基地局へ送信される信号の送信電力の制御は、第１の関数２９３４と異なる第２の関数２９３８を用いて、基地局からの信号の測定受信電力レベルに基づいて基地局へ送信される信号の送信電力レベルを決定することを含む。
【００８４】
例えば、基地局のダウンリンク帯域で伝達された受信された基地局信号Ｎ  ２９４４は、測定モジュール２９２６によって測定され、ピアツーピア送信電力制御モジュール２９２８とＷＡＮ送信電力制御モジュール２９３６との双方への入力である信号Ｎの測定情報２９４８を得る。ピアツーピアモジュール２９２８は第１の関数２９３４を用いて入力２９４８を処理し、決定済最大ピアツーピア送信電力レベル２９５２を得る。一方、ＷＡＮモジュール２９３６は、第２の関数２９３８を用いて同じ入力２９４８を処理し、決定されたピアツーピア送信電力レベル２９５２より高いレベルの最大ＷＡＮ送信電力レベル２９５６を得る。
【００８５】
種々の実施例において、ピアツーピア送信信号電力レベルは基地局へ送信される信号の送信電力レベルより少なくとも１０ｄＢ低い。例えば、同じ値の測定された基地局信号に対して、決定済最大ピアツーピア送信電力レベル２９５２は決定済最大ＷＡＮ送信電力レベル２９５６より少なくとも１０ｄＢ低い。別の例として、いくつかの実施例において、無線端末がある位置にあり、ピアツーピア送信電力レベル情報と、同じ受信された基地局信号測定に基づいて決定されたＷＡＮ送信電力レベル情報とを有している場合、決定済の実際のピアツーピア送信電力レベル２９５４は決定済の実際のＷＡＮ送信電力レベル２９５８より少なくとも１０ｄＢ低い。
【００８６】
データ／情報２９２０は基地局のダウンリンク帯域で伝達された基地局からの複数の受信信号を含む。これらは送信電力レベル情報（受信された基地局信号１  ２９４２、…、受信された基地局信号Ｎ  ２９４４）、複数のそれぞれ対応する信号測定情報（信号１測定情報２９４６、…、信号Ｎ測定情報２９４８）を決定する際に測定され利用される。また、データ／情報２９２０は、現在ピアツーピア信号送信を無線通信デバイス２９００が許可されているか否かを示すピアツーピア送信認可状態情報２９５０を含む。また、データ／情報２９２０は、サブモジュール２９３０の出力である決定済最大ピアツーピア送信電力レベル２９５２と、サブモジュール２９３２の出力である決定済の実際のピアツーピア送信電力レベル２９５４とを含む。
【００８７】
データ／情報２９２０の構成要素として含まれるタイミング／周波数構造情報２９６０は、アップリンク周波数帯域情報２９６２、例えばＷＡＮアップリンク帯域幅情報、ＷＡＮアップリンクキャリア情報およびアップリンクＷＡＮトーンセット情報、ダウンリンク周波数帯域情報２９６４、例えばＷＡＮダウンリンク帯域幅情報、ＷＡＮダウンリンクキャリア情報およびダウンリンクＷＡＮトーンセット情報、並びに測定された基地局信号の位置を識別する情報２９６６を含む。この代表的実施例において、ピアツーピア信号が基地局に送られるＷＡＮアップリンク信号への干渉として働いている状態で、ピアツーピア通信信号伝送は基地局によって用いられるＷＡＮアップリンク周波数帯域を用いる。無線通信デバイスによってダウンリンク周波数帯域で受信される参照および／または制御信号が測定され、次に測定値はアップリンク周波数帯域における無線通信デバイスのピアツーピア送信電力レベルを制御するために利用される。情報２９６６は、どのＷＡＮダウンリンク帯域がこの信号を搬送し、いくつかの実施例においては、この信号に対応するより詳細な情報、例えば循環タイミング構造内の位置および／またはこの信号を識別するために用いられる詳細なトーン情報を識別する。
【００８８】
無線通信デバイス２９００がＷＡＮ通信、例えばセルラ通信をサポートする種々の実施例において、データ／情報２９２０は決定済最大ＷＡＮ送信電力レベル情報２９５６および決定済の実際のＷＡＮ送信電力レベル情報２９５８も含む。これらはＷＡＮ送信電力制御モジュール２９３６の出力である。
【００８９】
図７Ａと図７Ｂの組み合わせを含む図７は、種々の実施例に従って、基地局のＷＡＮアップリンク周波数帯域でピアツーピア通信をサポートする無線通信デバイスを動作させる代表的方法のフローチャート８００である。動作はステップ８０２で始まる。ここで無線通信デバイスは電源を投入され、初期化されステップ８０４へ進む。ステップ８０４において、無線通信デバイスは基地局のダウンリンク周波数帯域で基地局からの第１の信号、例えばビーコン信号または非ビーコン放送チャネル信号を受信する。
【００９０】
動作はステップ８０４からステップ８０６へ進む。ステップ８０６において、無線通信デバイスは受信信号に関する測定、例えば信号電力測定を実行する。動作はステップ８０６からステップ８０８へ進む。
【００９１】
ステップ８０８において、無線通信デバイスは送信電力レベル制御パラメータを決定する。代表的一実施例において、ステップ８０８はサブステップ８１０および８１２を含む。別の代表的実施例において、ステップ８０８はサブステップ８１４および８１６を含む。さらに別の代表的実施例において、ステップ８０８はサブステップ８１４および８１８を含む。
【００９２】
サブステップ８１０において、無線通信デバイスは、異なるサービスレベルに対応する格納された送信電力レベル制御パラメータを含むメモリーにアクセスする。次に、サブステップ８１２において、無線通信デバイスは前記無線通信デバイスに対応するサービスレベルに対応する格納された送信電力を検索する。
【００９３】
サブステップ８１４において、前記無線通信デバイスは無線通信デバイスが前記基地局から受信した信号から制御値を復元する。いくつかの実施例において、制御値が復元される元の信号はステップ８０４においてダウンリンク周波数帯域で受信された第１の信号である。動作はサブステップ８１４からサブステップ８１６と８１８の１つへ進む。サブステップ８１６において、無線通信デバイスは復元された制御値を送信電力レベル制御パラメータとして用いる。あるいはまた、サブステップ８１８において、無線通信デバイスは復元した制御値と無線端末に対応するサービスレベルとに基づいて送信電力レベル制御パラメータを計算する。
【００９４】
動作はステップ８０８からステップ８２０へ進む。ステップ８２０において、無線通信デバイスは前記アップリンク周波数帯域における少なくともいくつかのピアツーピア送信に対し、第１の信号の測定結果の関数としてピアツーピア送信電力を制御する。ここでピアツーピア送信電力の制御は、第１の関数に従ってピアツーピア送信電力を制御することを含み、第１の関数に従ってピアツーピア送信電力を制御することは、前記測定された受信電力レベルに加えて前記第１の関数における前記決定された送信電力レベル制御パラメータを用いることを含む。動作はステップ８２０から接続ノードＡ  ８２２を介してステップ８２４に進む。
【００９５】
ステップ８２４において、無線通信デバイスは基地局から前記ダウンリンク周波数帯域内の第２の信号、例えば第２のビーコン信号または第２の非ビーコン放送チャンネル信号を前記第１の信号が受信された時間と異なる時間に受信する。次に、ステップ８２６において、無線通信デバイスは第２の受信信号の測定、例えば第２の受信信号の電力測定を実行する。動作はステップ８２６からステップ８２８へ進む。そこで、無線通信デバイスは、第２の受信信号の測定電力から前記アップリンク周波数帯域でピアツーピア通信信号を送信することを無線通信デバイスは控えるべきであることを決定する。動作はステップ８２８からステップ８３０へ進む。ステップ８３０において、ピアツーピア信号を送信することを通信デバイスは控えるべきであると決定した後、基地局からの別の信号の電力測定からピアツーピア信号を送信することを無線通信デバイスが許可されると決定するまで、無線通信デバイスは前記アップリンク周波数帯域でピアツーピア通信信号を送信することを控える。
【００９６】
図８は種々の実施例に従って、基地局のＷＡＮアップリンク周波数帯域におけるピアツーピア通信をサポートする代表的無線通信デバイス３０００、例えば移動ノードのような無線端末の図である。代表的無線通信デバイス３０００は、基地局のダウンリンク周波数帯域で基地局から信号、例えばビーコン信号または非ビーコン放送チャンネル信号を受信する。通信デバイスは、ピアツーピア信号を基地局のアップリンク帯域で送信することを通信デバイスが許可されているか否かを決定する際、および／またはピアツーピア送信電力レベル情報、例えば最大ピアツーピア送信電力レベルを決定する際に、この信号を利用する。
【００９７】
無線通信デバイス３０００はバス３０１２を介して互いに接続された受信機モジュール３００２、送信機モジュール３００４、ユーザＩ／Ｏデバイス３００８、プロセッサ３００６、およびメモリー３０１０を含み、このバス上で種々の要素がデータおよび情報を交換し得る。メモリー３０１０はルーチン３０１８およびデータ／情報３０２０を含む。
【００９８】
プロセッサ３００６、例えばＣＰＵは、ルーチン３０１８を実行する。また、無線通信デバイス３０００の動作を制御し、方法例えば図７のフローチャート８００の方法を実施するためにメモリー３０１０内のデータ／情報３０２０を用いる。
【００９９】
受信機モジュール３００２、例えばＯＦＤＭ受信機は受信アンテナ３０１４に接続され、このアンテナを介して無線通信デバイス３０００は基地局からの信号、例えばビーコン信号または非ビーコン放送チャネル信号を受信する。前記受信信号はピアツーピア送信電力レベル情報を決定する際に用いられ、前記信号は基地局のダウンリンク周波数帯域で受信される。また、受信機モジュール３００２は基地局のアップリンク周波数帯域内のピアツーピア通信信号を受信する。送信機モジュール３００４、例えばＯＦＤＭ送信機は、無線通信デバイス３０００が他の無線通信デバイスへピアツーピア信号を送信する送信アンテナ３０１６に接続される。
【０１００】
ユーザＩ／Ｏデバイス３００８は、例えば、マイクロホン、キーボード、キーパッド、マウス、カメラ、スイッチ、スピーカ、ディスプレイなどを含む。ユーザＩ／Ｏデバイス３００８により、無線通信デバイス３０００のユーザは、データ／情報の入力、出力データ／情報へのアクセス、および無線通信デバイス３０００の少なくともいくつかの機能の制御、例えばピアツーピア通信セッションを開始する試み、が可能となる。
【０１０１】
ルーチン３０１８は通信ルーチン３０２２および無線端末制御ルーチン３０２４を含む。通信ルーチン３００２は無線通信デバイス３０００によって用いられる種々の通信プロトコルを実施する。無線端末制御ルーチン３０２４は測定モジュール３０２６、電力レベル制御パラメータ決定モジュール３０２８、サービスレベル識別モジュール３０３４、およびピアツーピア送信電力制御モジュール３０３６を含む。
【０１０２】
測定モジュール３０２６は基地局のダウンリンク周波数帯域で受信された基地局からの受信信号に関する測定を実行する。受信された基地局信号１  ３０４４は測定モジュール３０２６への入力を表し、一方信号１の測定情報３０４６は測定モジュール３０２６の出力を表す。種々の実施例において、測定モジュール３０２６の測定値は信号電力測定値である。
【０１０３】
電力レベル制御パラメータ決定モジュール３０２８は送信電力レベル制御パラメータを決定する。いくつかの実施例において、電力レベル制御パラメータ決定モジュール３０２８は送信電力レベル制御パラメータを、検索済制御パラメータ３０４８に設定する。いくつかの実施例において、電力レベル制御パラメータ決定モジュール３０２８は送信電力レベル制御パラメータを、検索済制御パラメータ３０４８の関数として決定する。いくつかの実施例において、電力レベル制御パラメータ決定モジュール３０２８は送信電力レベル制御パラメータを、復元された制御パラメータ、例えば復号済制御パラメータ３０５０に設定する。いくつかの実施例において、電力レベル制御パラメータ決定モジュール３０２８は送信電力レベル制御パラメータを、復元された制御パラメータ、例えば復号済制御パラメータ３０５０の関数として決定する。いくつかの実施例において、電力レベル制御パラメータ決定モジュール３０２８は送信電力レベル制御パラメータを、識別済サービスレベル３０５２の関数として決定する。いくつかの実施例において、電力レベル制御パラメータ決定モジュール３０２８は送信電力レベル制御パラメータを、検索済制御パラメータ３０４８と、復元された制御パラメータ、例えば復号済制御パラメータ３０５０との関数として決定する。いくつかの実施例において、電力レベル制御パラメータ決定モジュール３０２８は送信電力レベル制御パラメータを、ｉ）送信電力制御パラメータとして復元された値を用いること、およびｉｉ）送信電力レベル制御パラメータを復元された制御値と無線端末に対応するサービスレベルとに基づいて計算すること、の１つを含む動作によって決定する。
【０１０４】
サービスレベル識別モジュール３０３４は無線通信デバイス３０００に対応する実行中のサービスレベルを識別する。例えば、通信デバイス３０００のいくつかの異なるユーザ、例えば緊急ユーザ、政府関係ユーザ、サービスプロバイダユーザ、ティア１企業ユーザ、ティア２企業ユーザ、ティア１個人ユーザ、ティア２個人ユーザは、いくつかの実施例において異なるサービスレベルに対応する。他の実施例において、異なるサービスレベルは異なる形式の通信デバイス、伝達されるべき異なる形式のデータ、伝達されるべき異なる量のデータおよび／または異なるレイテンシ問題に対応するかもしれない。識別された実行中のサービスレベルは識別済サービスレベル３０５２に指定される。
【０１０５】
電力レベル制御パラメータ決定モジュール３０２８は検索モジュール３０３０および制御パラメータ復元モジュール３０３２を含む。検索モジュール３０３０は無線通信デバイス３０００に対応するサービスレベルに対応する格納された送信電力レベル制御パラメータを検索する。このように、検索モジュール３０３０は入力として識別済サービスレベル３０５２を用い、サービスレベルから電力レベル制御パラメータへのマッピング情報３０６０にアクセスし、入力サービスレベルに関係づけられた制御パラメータを得る。検索済制御パラメータ３０４８は検索モジュール３０３０の出力である。
【０１０６】
制御パラメータ復元モジュール３０３２は、通信デバイス３０００によって基地局から受信した信号から制御値を復元する。いくつかの実施例において、制御値は測定モジュール３０２６によって測定された同じ信号、例えば受信された基地局信号１  ３０４４から復元される。復号済制御パラメータ３０５０は制御パラメータ復元モジュール３０３２の出力である。いくつかの実施例において、復元された制御値は干渉レベル指標値である。
【０１０７】
ピアツーピア送信電力制御モジュール３０３６は少なくともいくつかのピアツーピア信号送信に対するピアツーピア送信電力を、受信された基地局信号の測定結果の関数として制御する。ピアツーピア送信電力制御モジュール３０３６は最大ピアツーピア送信電力レベル決定サブモジュール３０３８、実際のピアツーピア送信電力レベル決定サブモジュール３０４０、および第１の関数３０４２を含む。
【０１０８】
最大ピアツーピア送信電力レベルサブモジュール３０３８は第１の関数３０４２を用いて最大ピアツーピア送信電力レベルを決定する。実際のピアツーピア送信電力レベルサブモジュール３０４０は前記最大ピアツーピア送信電力レベルと第２のピアツーピア通信デバイスから受信したピアツーピア信号との関数として実際のピアツーピア信号送信電力レベルを決定する。種々の実施例において、サブモジュール３０４０は実際の決定されたピアツーピア送信電力レベルを最大ピアツーピア送信電力レベル以下になるように制御する。
【０１０９】
ピアツーピア送信電力レベル制御モジュール３０３６は、ピアツーピア送信電力レベルを決定する際、例えば決定済最大ピアツーピア送信電力レベル３０５６を決定する際に、例えば信号１の測定情報３０４６からの測定された受信電力レベルに加えて、決定された送信電力レベル制御パラメータ３０５４を用いる。いくつかの実施例において、電力レベル制御パラメータ決定モジュール３０２８のいくつかのまたはすべての機能は、ピアツーピア送信電力制御モジュール３０３６の構成要素として含まれる。
【０１１０】
データ／情報３０２０は基地局からの受信信号、すなわち基地局のダウンリンク帯域で受信された受信基地局信号１  ３０４４を含む。これは送信電力レベル情報を決定する際に利用される信号１の測定情報３０４６を求める測定モジュール３０２６により測定される。また、データ／情報３０２０は送信電力レベル制御パラメータ３０５４、決定済最大ピアツーピア送信電力レベル３０５６、決定済の実際のピアツーピア送信電力レベル３０５８、サービスレベルから電力レベル制御パラメータへのマッピング情報３０６０、およびタイミング周波数構造情報３０７０を含む。いくつかの実施例において、いくつかのデータ／情報３０２０は１つ以上の識別済サービスレベル３０５２、検索済制御パラメータ３０４８および復号済制御パラメータ３０５０を含む。
【０１１１】
検索済制御パラメータ３０４８は検索モジュール３０３０の出力であり、サービスレベルから電力レベル制御パラメータへのマッピング情報３０６０の制御パラメータ値（制御パラメータ値１  ３０６６、…、制御パラメータ値Ｍ  ３０６８）の１つに対応する。復号済制御パラメータ３０５０は、制御パラメータ復元モジュール３０３２の出力であり、受信された基地局信号から復元された情報を表す。いくつかの実施例において、情報の復元の元になる受信された基地局信号は電力測定される同じ基地局信号、例えば受信された基地局信号１  ３０４４である。いくつかの実施例において、復元された制御値は干渉レベル指標値である。
【０１１２】
識別済サービスレベル３０５２はサービスレベル識別モジュール３０３４の出力であり、検索モジュール３０３０への入力として用いられる。識別済サービスレベル３０５２は対応する制御パラメータ値を選択するために用いられる。例えば、識別済サービスレベル３０５２がサービスレベルＭ  ３０６４を示す場合、検索モジュール３０３０は検索済制御パラメータ３０４８に格納されている制御パラメータ値Ｍ  ３０６８を引き出す。
【０１１３】
送信電力レベル制御パラメータ３０５４は電力レベル制御パラメータ決定モジュール３０２８の出力である。送信電力レベル制御パラメータ３０５４は、識別済サービスレベル３０５２、検索済制御パラメータ３０４８、および復号済制御パラメータ３０５０の中の１つ以上の関数として決定される。送信電力レベル制御パラメータ３０５４はピアツーピア送信電力制御モジュール３０３６によって入力として用いられる。
【０１１４】
決定済最大ピアツーピア送信電力レベル３０５６は最大ピアツーピア送信電力レベルサブモジュール３０３８の出力であり、一方決定済の実際のピアツーピア送信電力レベル３０５８は実際のピアツーピア送信電力レベル決定サブモジュール３０４０の出力である。
【０１１５】
サービスレベルから電力レベル制御パラメータへのマッピング情報３０６０は複数のサービスレベル（サービスレベル１  ３０６２、…、サービスレベルＭ  ３０６４）および複数の対応する制御パラメータ値（制御パラメータ値１  ３０６６、…、制御パラメータ値Ｍ  ３０６８）を含む。
【０１１６】
データ／情報３０２０の構成要素として含まれるタイミング／周波数構造情報３０７０は、アップリンク周波数帯域情報３０７２、例えばＷＡＮアップリンク帯域幅情報、ＷＡＮアップリンクキャリア情報およびアップリンクＷＡＮトーンセット情報、ダウンリンク周波数帯域情報３０７４、例えばＷＡＮダウンリンク帯域幅情報、ＷＡＮダウンリンクキャリア情報およびダウンリンクＷＡＮトーンセット情報、並びに測定されたおよび／または復号された基地局信号の位置を識別する情報３０７６を含む。この代表的実施例において、ピアツーピア信号が基地局に送られるＷＡＮアップリンク信号への干渉として働いている状態で、ピアツーピア通信信号伝送は基地局によって用いられるＷＡＮアップリンク周波数帯域を用いる。基地局ＷＡＮダウンリンク周波数帯域で無線通信デバイス３０００により受信された信号は測定され、次にその測定値は無線通信デバイス３０００のピアツーピア送信電力レベルを制御するために利用される。いくつかの実施例において、無線通信デバイス３０００によって受信され、例えば干渉指標の値を復元した復号された復元情報である信号は、無線通信デバイス３０００のピアツーピア送信電力レベルを制御するためにも利用される。いくつかの実施例において、電力測定に利用される同じ基地局信号は情報の復元に用いる元の復号された信号である。他のいくつかの実施例において、基地局からの２つの異なる受信信号がある。１つはその受信信号レベルが測定され利用される信号、および他の１つは符号化された電力制御情報、例えば符号化された干渉指標値を伝達する信号である。情報の復元に用いる基地局信号、例えば干渉レベル指標値は、いくつかの実施例において、ＷＡＮダウンリンク帯域で伝達される。情報３０７６は、どのＷＡＮダウンリンク帯域が測定された基地局信号を搬送するか、およびどのＷＡＮダウンリンク帯域が情報の復元に用いられる基地局信号を伝達するかを識別する。いくつかの実施例において、情報３０７６は１つまたは複数の信号に対応するより詳細な情報、例えば循環タイミング構造内の位置および／または１つもしくは複数の信号を識別するために用いられる詳細なトーン情報、を識別する。
【０１１７】
図９は通信システム３０２、周波数帯域利用を説明する表３０４、および代表的ピアツーピア無線端末送信電力レベル情報を示す表を含む代表的一実施例を示す図３００である。代表的通信システム３０２はセル３１０で表される対応するセルラカバレッジエリアを有する基地局３０８を含む。基地局３０８は他のネットワークノード、例えば他の基地局、ルータ、ＡＡＡノード、ホームエージェントノード、制御ノードなど、および／またはネットワークリンク３０９、例えば光ファイバリンクを介したインターネットに接続される。通信システム３０２には、セルラ通信をサポートする複数の無線端末（ＷＴ  １  ３１２、…、ＷＴ  Ｎ  ３１４）もある。セルラＷＴ（３１２、３１４）は、それぞれ無線リンク（３１６、３１８）を介して基地局３０８に接続される。
【０１１８】
通信システム３０２には、ピアツーピア通信をサポートする複数の無線端末（ＷＴ  １′、ＷＴ  ２′  ３２８、ＷＴ  ３′、ＷＴ  ４′  ３４０）もある。ＷＴ  １′は時間的に、２つの位置で示し、時刻ｔ０では要素３２４として、時刻ｔ１では要素３２６として表す。ＷＴ  １′の動きは矢印３３４で示す。ＷＴ  ３′は時間的に、２つの位置で示し、時刻ｔ０では要素３３６として、時刻ｔ１では要素３３８として表す。ＷＴ  ３′の動きは矢印３４６で示す。ＷＴ  １′とＷＴ  ２′３２８との間のピアツーピア通信は矢印３３０と３３２で示す。ＷＴ  ３′とＷＴ  ４′３４０との間のピアツーピア通信は矢印３４２と３４４で示す。
【０１１９】
基地局は放送信号３２０、例えばビーコン信号または非ビーコン放送チャンネル信号を基地局のダウンリンクＷＡＮ周波数帯域で送信する。放送信号、例えばビーコン信号はピアツーピア無線端末によって検出され、測定される。受信放送信号、例えばビーコン信号の電力測定値は、ピアツーピア信号を対応するＷＡＮアップリンク周波数帯域で無線端末が送信しても良いかどうかを決定し、対応するアップリンク周波数帯域での送信が許可される場合、送信電力レベル、例えば最大送信電力レベルを制御するために、ピアツーピア無線端末によって用いられる。基地局３０８を囲む点線の円３２２は、代表的ピアツーピア制約領域を示す。この領域ではピアツーピア無線端末は信号を送信することを制約される。基地局３０８に近接した領域において、ピアツーピア無線端末に利用されるレベルでのピアツーピアからの送信は、セルラモードで動作している無線端末（３１２、…、３１４）からのアップリンク信号を復元し復号しようとする基地局の受信機から見て大き過ぎる干渉を引き起こし得る。従って、ピアツーピア無線端末送信は許可されない。
【０１２０】
次に、周波数帯域情報の表３０４について説明する。第１列３４８は、周波数帯域Ａが、（ｉ）セルラ無線端末によって受信されるように意図された基地局から送信された信号のためのセルラダウンリンクとして、および（ｉｉ）ピアツーピア無線端末によって用いられるように意図された放送された参照および／または制御信号、例えばピアツーピア通信の制御、例えば対応するアップリンク周波数帯域のピアツーピア通信電力制御用に意図されたビーコン信号、を伝達するためとに用いられることを示す。第２列３５０は、周波数帯域Ｂが、（ｉ）基地局によって受信されるように意図されたセルラ無線端末から送信された信号のためのセルラアップリンクとして、並びに（ｉｉ）ピアツーピア無線端末から送信された信号に用いられるように意図された、およびピアツーピア無線端末によって受信されるように意図されたピアツーピア帯域として、用いられることを示す。
【０１２１】
次に、ピアツーピア無線端末の電力情報の表３０６について説明する。第１列３５２は、説明される代表的ピアツーピア無線端末（ＷＴ１′、ＷＴ２′、ＷＴ３′、ＷＴ４′）を特定する。第２列３５４は時間的位置、ｔ０またはｔ１を特定する。第３列３５６は同じ行に示した時間に対応する同じ行の無線端末に対応する送信電力レベル情報を特定する。表３０６の情報は、ＷＴ１′に対する送信電力レベルが時間ｔ０から時間ｔ１になると増加することを示す。この時間中にＷＴ１′は基地局３０８から離れていくことが分かり、またこの時間中にＷＴ１′から見てビーコン信号３２０の測定電力レベルが減少することが期待される。ＷＴ１′がこの時間中に制約領域３２２の外側に留まることも分かる。表３０６の情報は、ＷＴ３′に対する送信レベルが時間ｔ０から時間ｔ１になると減少することを示す。この時間中にＷＴ３′は基地局３０８へ向かって移動すること、およびこの時間中にＷＴ３′から見てビーコン信号３２０の測定電力レベルが増加すると予想されることも分かる。ＷＴ３′がこの時間中に制約領域３２２の外側に留まることも分かる。表３０６に記載されている電力レベルは、無線端末に対する最大許容送信電力レベルであってよい。あるいは、表３０６に記載されている電力レベルは、実際の送信電力レベルであってもよい。
【０１２２】
いくつかの実施例において、少なくともいくつかの無線端末は複数の動作モード、例えば、ピアツーピアおよびセルラ通信動作モードをサポートする。
【０１２３】
図１０は種々の実施例に従う、代表的無線通信システム４００の図である。代表的無線通信システム４００は少なくとも１つの基地局４０２、ピアツーピア通信をサポートする複数の無線端末（無線端末１  ４０４、…、無線端末Ｎ  ４１０）、広域ネットワーク信号伝送をサポートする複数の無線端末（無線端末２  ４０６、…、無線端末ｎ  ４１２）、並びにピアツーピア信号伝送および広域ネットワーク信号伝送の双方をサポートする複数の無線端末（無線端末３  ４０８、…、無線端末Ｍ  ４１４）を含む。
【０１２４】
基地局４０２はピアツーピア干渉処理モジュール４１６、干渉信号測定モジュール４１８、および送信機モジュール４２０を含む。ピアツーピア干渉処理モジュール４１６はピアツーピア送信電力レベル制御値を決定する。送信機モジュール４２０は決定されたピアツーピア送信電力レベル制御値を、例えば伝達された指標値として送信する。干渉信号測定モジュール４１８はアップリンクヌル送信期間に信号干渉を測定し、測定された信号干渉情報をピアツーピア干渉処理モジュール４１６へ出力する。
【０１２５】
無線端末１  ４０４は受信信号電力測定モジュール４２２、ピアツーピア信号送信電力制御モジュール４２４、差分更新モジュール４２６、およびメモリー４２８を含む。メモリー４２８は、いくつかの実施例において、格納された予め定められた差分指標情報４３０を含む。格納された予め定められた差分指標情報４３０は基地局によって通知され得る複数の指標（指標１  ４４２、…、指標Ｎ  ４４４）、およびそれぞれ対応する差分値（差分１  ４４６、…、差分Ｎ  ４４８）を含む。
【０１２６】
受信信号電力測定モジュール４２２は基地局、例えば基地局４０２から基地局のダウンリンク周波数帯域で受信される受信信号の電力を測定する。ピアツーピア信号送信電力制御モジュール４２４は、基地局のアップリンク周波数帯域でのピアツーピア信号送信電力レベルを、第１の関数に従って基地局からの信号の測定電力の関数として制御する。種々の実施例において、ピアツーピア信号送信電力レベルは最大許容ピアツーピア信号送信電力レベルである。差分更新モジュール４２６は基地局、例えば基地局４０２から差分指標値を受信し、受信した指標値に基づいて第１の関数を更新する。いくつかの実施例において、差分は予め定められた量であり、指標および対応する予め定められた差分を格納するメモリー４２８がアクセスされ、アクセスされた値は第１の関数により用いられる。
【０１２７】
無線端末２  ４０６は受信信号電力測定モジュール４３２、および広域ネットワーク信号送信電力制御モジュール４３４を含む。受信信号電力測定モジュール４３２は基地局、例えば基地局４０２からダウンリンク周波数帯域で受信される受信信号の電力レベルを測定する。広域ネットワーク信号送信電力制御モジュール４３４は、基地局のアップリンク周波数帯域での無線端末２  ４０６に関係する広域信号送信電力レベルを、基地局のダウンリンク周波数帯域で基地局から受信した信号の測定電力の関数として、第１の関数と異なる第２の関数に従って、制御する。いくつかの実施例において、広域信号送信電力レベルは最大広域信号送信電力レベルである。種々の実施例において、第２の関数は、測定受信信号電力の与えられた値に対して第１の関数より高い送信電力レベルを決定する。そのようないくつかの実施例において、測定受信信号電力の与えられた値に対して第１および第２の関数によって決定される送信電力間のｄＢ値の差は少なくとも１０ｄＢである。
【０１２８】
無線端末３  ４０８は受信信号電力測定モジュール４３６、ピアツーピア信号送信電力制御モジュール４３８、および広域ネットワーク信号送信電力制御モジュール４４０を含む。受信信号電力測定モジュール４３６はダウンリンク周波数帯域で基地局から受信した信号の電力レベルを測定する。ピアツーピア信号送信電力制御モジュール４３８は基地局のアップリンク周波数帯域でのピアツーピア信号送信電力レベルを、第１の関数に従って基地局からの信号の測定電力の関数として制御する。広域ネットワーク信号送信電力制御モジュール４４０は基地局のアップリンク周波数帯域の広域信号送信電力レベルを、基地局からの信号の測定電力の関数として、前記第１の関数と異なる第２の関数に従って制御する。種々の実施例において、モジュール４４０で用いられる第２の関数は、測定受信信号電力の与えられた値に対してモジュール４３８で用いられる第１の関数より高い送信電力レベルを決定する。そのようないくつかの実施例において、測定受信信号電力の与えられた値に対して第１および第２の関数によって決定される送信電力間のｄＢ値の差は少なくとも１０ｄＢである。いくつかの実施例において、ＷＴ３  ４０８のモジュール４３８で用いられる第１の関数は、ＷＴ１  ４０４のモジュール４２４で用いられる第１の関数と同様である。いくつかの実施例において、ＷＴ３  ４０８のモジュール４４０で用いられる第２の関数は、ＷＴ２  ４０６のモジュール４３４で用いられる第２の関数と同様である。
【０１２９】
図１１は種々の実施例に従う、基地局を動作させる代表的方法のフローチャート５００である。この代表的方法の動作はステップ５０２で始まりステップ５０４へ進む。ステップ５０４において、基地局は干渉配分情報を格納する。動作はステップ５０４からステップ５０６およびステップ５０８へ進む。
【０１３０】
継続的に実行されるステップ５０８において、基地局は、隣接基地局間でアップリンクヌル期間の同期を保持するために、少なくとも１つの隣接基地局との同期を保持するように動作される。種々の実施例において、アップリンクのヌル期間は、基地局によって用いられる帯域幅の少なくとも一部分が基地局へのアップリンク信号の送信用に意図的に用いられない期間である。
【０１３１】
ステップ５０６に戻り、ステップ５０６において、基地局はアップリンクヌル期間中の背景干渉を測定する。次に、ステップ５１０において、基地局は測定した背景干渉の関数として第１のアップリンク送信電力制御値を決定する。ステップ５１０はサブステップ５１２を含む。サブステップ５１２において、基地局は格納された干渉配分情報を前記測定背景干渉と組み合わせて用いて、第１のアップリンク送信電力制御値を生成する。サブステップ５１２はサブステップ５１４、５１６、５１８、および５２０を含む。サブステップ５１４において、基地局は、格納された干渉配分情報によって示される干渉配分制限を測定背景干渉が超えているかどうかを決定する。配分制限を超える場合、動作はサブステップ５１４からサブステップ５１６へ進む。他の場合には、動作はサブステップ５１４からサブステップ５１８へ進む。
【０１３２】
サブステップ５１６において、基地局は先行のアップリンク送信電力制御値を修正する。前記修正された送信電力制御値は先行アップリンク送信電力制御値よりも、ピアツーピア送信電力レベルをより制限する。サブステップ５１８に戻り、サブステップ５１８において、基地局は測定背景干渉が格納された干渉配分情報によって示される前記干渉配分制限より低いか、例えば、少なくとも予め定められたしきい値だけ低いかを決定する。サブステップ５１８において、測定背景干渉が干渉配分制限より低く、例えば試験基準を満たす場合、動作はサブステップ５１８からサブステップ５２０へ進む。サブステップ５２０において、基地局は先行のアップリンク送信電力制御値を修正する。前記修正された送信電力制御値はピアツーピア送信電力レベルを先行の送信電力制御値により制御されたレベルより高いレベルに上げる。
【０１３３】
動作はステップ５１０からステップ５２２へ進む。そこで、基地局は前記決定された第１のアップリンク送信電力制御値をダウンリンク周波数帯域で送信する。
【０１３４】
図１２は種々の実施例に従って基地局を動作させる代表的方法のフローチャート６００である。この代表的方法の動作はステップ６０２で始まり、ステップ６０４へ進む。ステップ６０４において、基地局は干渉配分情報を格納する。動作はステップ６０４からステップ６０６およびステップ６０８へ進む。
【０１３５】
継続的に実行されるステップ６０８において、基地局は、隣接基地局間でアップリンクヌル期間の同期を保持するために、少なくとも１つの隣接基地局との同期を保持するように動作される。種々の実施例において、アップリンクのヌル期間は、基地局によって用いられる帯域幅の少なくとも一部分が基地局へのアップリンク信号の送信用に意図的に用いられない期間である。
【０１３６】
ステップ６０６に戻り、ステップ６０６において、基地局は第１のアップリンクヌル期間中の背景干渉を測定する。次に、ステップ６１０において、基地局は測定背景干渉の関数として第１のアップリンク送信電力制御値を決定する。動作はステップ６１０からステップ６１２へ進む。ステップ６１２において、基地局は前記決定された第１のアップリンク送信電力制御値をダウンリンク周波数帯域で送信する。動作はステップ６１２からステップ６１４へ進む。
【０１３７】
ステップ６１４において、基地局は第２のアップリンクヌル期間中の背景干渉を測定する。次に、ステップ６１６において、基地局は第１のアップリンクヌル期間および第２のアップリンクヌル期間に対応する測定値から測定背景干渉における変化を決定する。動作はステップ６１６からステップ６１８へ進む。
【０１３８】
ステップ６１８において、基地局は第２のアップリンクヌル期間に対応する測定背景干渉と測定背景干渉の変化との関数として第２のアップリンク送信電力制御値を決定する。次に、ステップ６２０において、基地局は決定された第２のアップリンク送信電力制御値をダウンリンク周波数帯域で送信する。動作はステップ６２０からステップ６２２へ進む。
【０１３９】
ステップ６２２において、基地局は第３のアップリンクヌル期間に、背景干渉を測定する。次に、ステップ６２４において、基地局は第２のアップリンクヌル期間および第３のアップリンクヌル期間に対応する測定値から測定背景干渉における変化を決定する。動作はステップ６２４からステップ６２６へ進む。そこで、基地局は第１のアップリンク送信電力制御値と第２のアップリンク送信電力制御値間の差分を決定する。動作はステップ６２６からステップ６２８へ進む。
【０１４０】
ステップ６２８において、基地局は第３のアップリンクヌル期間に対応する測定背景干渉、第２および第３のアップリンクヌル期間間の測定背景干渉の決定された変化、並びに２つの先行送信電力制御値間の決定された差分の関数として第３のアップリンク送信電力制御値を決定する。動作はステップ６２８からステップ６３０へ進む。そこで、基地局は決定された第３のアップリンク送信電力制御値をダウンリンク周波数帯域で送信する。
【０１４１】
図１３は種々の実施例に従う代表的基地局２８００の図である。代表的基地局２８００は、広域ネットワークアップリンク通信に用いる同じ無線リンク資源で送信するピアツーピア無線端末からの受信干渉を処理する。代表的基地局２８００は、送信電力レベルを決定する際にピアツーピア無線端末が利用するアップリンク電力制御信号を決定し、ダウンリンク周波数帯域で送信する。また、いくつかの実施例において、基地局２８００によってダウンリンク周波数帯域で送信されるアップリンク電力制御信号は、その基地局をネットワークの接続点として用い、アップリンク信号を基地局へ送信する無線端末によっても、送信電力を制御するために利用される。
【０１４２】
代表的基地局２８００はバス２８１２を介して互いに接続された受信機モジュール２８０２、送信機モジュール２８０４、プロセッサ２８０６、Ｉ／Ｏインターフェース２８０８、およびメモリー２８１０を含み、このバス上で種々の要素はデータおよび情報を交換し得る。
【０１４３】
受信機モジュール２８０２、例えばＯＦＤＭ受信機は受信アンテナ２８１４に接続される。このアンテナを介して無線通信デバイス２８００は無線端末、例えばセルラモードで動作し、ネットワーク接続点として基地局２８００を用いる無線端末からのアップリンク信号を受信する。また、受信機モジュール２８０２は周辺で動作しているピアツーピア通信デバイスから干渉を受ける。また、いくつかの実施例において、受信機モジュール２８０２は隣接セル内のセルラデバイスからのアップリンク信号伝送から干渉を受ける。
【０１４４】
送信機モジュール２８０４、例えば、ＯＦＤＭ送信機は送信アンテナ２８１６に接続され、このアンテナを介して基地局２８００はネットワーク接続点として基地局２８００を用いる無線端末へダウンリンク信号を送信する。また送信機モジュール２８０４は、基地局のダウンリンク帯域で、ピアツーピア無線端末が送信電力レベルを制御するためにピアツーピア無線端末によって用いられるアップリンク送信電力制御値を送信する。このピアツーピア無線端末はピアツーピア信号伝送用に基地局のアップリンク帯域を用い、従って基地局受信機端末２８０２から見た干渉を発生させる。
【０１４５】
メモリー２８１０はルーチン２８１８およびデータ／情報２８２０を含む。プロセッサ２８０６、例えばＣＰＵは、ルーチン２８１８を実行し、基地局２８００の動作を制御し、方法を実施するためにメモリー２８１０内のデータ／情報２８２０を用いる。ルーチン２８１８は通信ルーチン２８２２、干渉測定モジュール２８２４、無線端末電力制御モジュール２８２６、および無線端末電力制御信号送信モジュール２８３０を含む。いくつかの実施例において、ルーチン２８１８は広域ネットワーク同期モジュール２８２８および干渉形式分離モジュール２８３２の１つ以上を含む。
【０１４６】
通信ルーチン２８２２は基地局２８００で用いられる種々の通信プロトコルを実施する。干渉測定モジュール２８２４はアップリンクヌル期間中の背景干渉を測定する。無線端末電力制御モジュール２８２６はアップリンク送信電力制御値を測定背景干渉の関数として決定する。種々の実施例において、無線端末電力制御モジュール２８２６は、格納された干渉配分情報をアップリンク送信電力制御値を生成するための測定背景干渉と組み合わせて用いてアップリンク電力制御値を決定する。無線端末電力制御信号送信制御モジュール２８３０は、生成されたアップリンク送信電力制御信号、例えば第１のアップリンク送信電力制御値２８５０を送信するために送信機モジュール２８０４を制御する。いくつかの実施例において、制御モジュール２８３０は循環スケジュールに従って、生成されたアップリンク送信電力制御値を基地局のダウンリンク周波数帯域で送信するように送信モジュール２８０４を制御する。いくつかの実施例において、制御モジュール２８３０は送信を干渉レベル情報の関数として制御する。いくつかの実施例において、無線端末電力制御モジュール２８２６はアップリンク送信電力制御値を、測定背景干渉と測定背景干渉における先行測定値からの変化との関数として決定する。いくつかの実施例において、無線端末電力制御モジュール２８２６はアップリンク送信電力制御値を、２つの先行送信電力間の差分の関数として決定する。
【０１４７】
いくつかの実施例において、測定背景干渉が、格納された干渉配分情報によって示される干渉配分制限を超える場合には、無線端末電力制御モジュール２８２６は、アップリンク送信電力制御値を先行アップリンク送信電力制御値の修正を含む動作によって決定するが、この修正された送信電力制御値は先行アップリンク送信電力制御値よりもピアツーピア送信電力をより制限する。いくつかの実施例において、測定背景干渉が格納された干渉配分情報によって示される干渉配分制限より低い場合には、無線端末電力制御モジュール２８２６は、アップリンク送信電力制御値を先行アップリンク送信電力制御値の修正を含む動作によって決定するが、この修正された送信電力制御値は先行アップリンク送信電力制御値よりピアツーピア送信電力を増加させる。種々の実施例において、より高いレベルへの変更は前記測定された干渉が前記干渉配分制限より少なくとも予め定められたしきい値だけ低い場合に実行される。
【０１４８】
このように、アップリンク送信電力制御値はピアツーピア通信の送信電力レベルを調整するために基地局２８００によって用いられ、これにより基地局のアップリンク周波数帯域で基地局２８００へ送られるアップリンク信号への干渉に影響を与える。
【０１４９】
広域ネットワーク同期モジュール２８２８は、隣接基地局間でアップリンクヌル期間の同期を保持するために、少なくとも１つの隣接基地局との同期を保持するために用いられる。
【０１５０】
干渉形式分離モジュール２８３２は、ピアツーピア通信に起因するアップリンク干渉寄与量の推定値を得るために用いられる。いくつかの実施例において、干渉形式分離モジュール２８３２は、ピアツーピア干渉を他の干渉源、例えば基地局２８００に関して同期していない隣接セル内のアップリンク信号を送信するセルラ通信デバイス、から分離することの一部分として、アップリンク送信電力制御値における制御された変化レベルを意図的に入力し、後続のアップリンクヌル期間の干渉測定において観測される影響を計算する。
【０１５１】
データ／情報２８２０は時間／周波数構造情報２８３４、格納された干渉配分情報２８４０、複数セットの干渉測定情報（アップリンク干渉測定情報１  ２８４６、…、アップリンク干渉測定情報Ｎ  ２８４８）、および複数の生成されたアップリンク送信電力制御値（第１のアップリンク送信電力制御値２８５０、…、Ｍ番目のアップリンク送信電力制御値２８５２）を含む。
【０１５２】
時間／周波数構造情報２８３４は循環時間構造情報２８３６を含む。循環時間構造情報２８３６はアップリンクヌル期間２８３８を識別する情報を含む。いくつかの実施例において、アップリンクヌル期間は、前記基地局によって用いられるアップリンク帯域幅の少なくとも一部分が基地局へのアップリンク信号の送信用に意図的に用いられない期間に一致する。いくつかの実施例において、アップリンクヌル期間は、基地局２８００を接続点として用いる無線端末、例えば、セルラ通信デバイスが基地局２８００へアップリンク信号を送ることを控える期間である。この期間にピアツーピア無線端末信号伝送はアップリンク周波数帯域を使用し続ける。したがって、基地局２８００はこの期間に背景干渉を測定できる。隣接基地局が、アップリンクヌル期間が同時に発生するように同期されている場合、これらの期間の測定雑音はピアツーピア信号伝送に関係づけることができる。しかし、隣接基地局が同期しておらず、かつ同じアップリンク帯域が使用されている場合、そのようなアップリンクヌル期間の測定干渉は隣接基地局に対応するピアツーピア無線端末およびセルラ通信デバイス双方からの干渉を含む。
【０１５３】
格納された干渉配分情報２８４０は背景干渉限度情報２８４２およびしきい値情報２８４４を含む。
【０１５４】
図１４は種々の実施例に従う、代表的通信システム９０２および周波数帯域利用表９０４を含む図面９００である。代表的通信システム９００において、広域ネットワークはピアツーピア通信と帯域幅を共有する。種々の実施例において、広域ネットワークは展開済みのシステムに対応し、ピアツーピアはアドオンおよび／またはアップグレード出来るという特徴を有する。いくつかの実施例において、代表的通信システム９０２は初めはＷＡＮおよびピアツーピア双方の可能性を含んで展開される。周波数帯域利用表９０４は代表的システム９０２に対応できる２つの形式の実施例を示す。第１の形式の実施例、形式Ａの実施例、において、広域ネットワークは周波数分割二重（ＦＤＤ）を用い、広域周波数分割二重アップリンク帯域はピアツーピア通信動作と帯域幅を共有し、かつＷＡＮ  ＦＤＤダウンリンク帯域はＷＡＮダウンリンク信号およびピアツーピアデバイス制御用の放送信号を伝達する。第２の形式の実施例、形式Ｂの実施例、において、広域ネットワークは、ＷＡＮ信号伝送に関してアップリンクとダウンリンクに同じ周波数帯域が用いられる時分割二重（ＴＤＤ）を用い、広域帯域はアップリンクスロットをピアツーピア通信動作と共有し、かつ広域ネットワークはピアツーピアデバイス制御のための放送信号を伝達するためにダウンリンクタイムスロットを共有する。したがって、双方の形式の実施例において、広域ネットワーク通信デバイスからのアップリンク信号伝送はピアツーピア通信デバイスによるピアツーピア通信信号の受信と干渉し得る。またピアツーピア通信デバイス間で送られるピアツーピア通信信号は基地局における広域ネットワークアップリンク信号の受信と干渉し得る。さらに、基地局から送信されるピアツーピアデバイスによって用いられることが意図された制御信号は、ダウンリンクＷＡＮ信号伝送のために通常確保された資源を用いて伝達される。
【０１５５】
代表的通信システム９０２は例えば基地局９０６、広域ネットワーク無線端末９０８、例えばセルラ移動ノード、第１のピアツーピア無線端末９１０、および第２のピアツーピア無線端末９１２を含む。例示目的のために、広域ネットワーク無線端末９０８がアップリンク信号を基地局９０６へ送信する場合を考える。基地局９０６はこの信号を受信し、受信信号を測定し、ＰＣ１とする。ピアツーピア無線端末２  ９１２から見て信号９１４は広域ネットワーク無線端末９０８からの干渉９１６と見なされる。次に、第１のピアツーピア無線端末９１０がピアツーピア無線端末２  ９１２へピアツーピア信号９１８を送信する場合を考える。基地局９０６から見て信号９１８は第１のピアツーピア無線端末９１０からの干渉９２０と見なされる。基地局９０６は、この干渉を受信し、受信信号を測定し、ＰＰ１とする。
【０１５６】
種々の実施例に従って、優先度が広域システムに与えられ、干渉は基地局で処理される。例えば、電力制御値αは、（ＰＣ１／ＰＰ１）≦αであるような結果を達成するように選択される。そのようないくつかの実施例において、αは−１０ｄＢ、−２０ｄＢ、または−３０ｄＢのような値である。この例において、１つの広域ネットワークの無線端末のアップリンク信号伝送に対応する基地局受信に関して干渉を引き起こす１つのピアツーピア無線端末に関して説明したが、干渉を送信し引き起こす複数のピアツーピアがあるかもしれないこと、または時にはあることが理解されるべきである。また基地局が復元を試みるアップリンク信号を基地局へ送信する複数の広域ネットワーク無線端末があるかもしれないこと、または時にはあることが理解されるべきである。従って、干渉を処理するために基地局で決定される制御係数αは複数ユーザに依存するかもしれないし、時には依存する。いくつかの実施例において制御係数αはユーザ数例えば動作中の広域ネットワークユーザ数、および／または動作中のピアツーピアユーザ数に依存する。
【０１５７】
図１５は広域ネットワークに基地局がピアツーピア雑音を監視し測定するサイレント期間を有する種々の実施例の特徴を示す図面１００２である。代表的図面１００２は基地局１００４を含み、その基地局は対応するセルラカバレッジエリア１００６を有する。いくつかの実施例において、セルラカバレッジエリアは少なくとも１キロメートルの半径を有する。セル内にはセルラ動作モードで動作している複数の無線端末（ＷＴ  Ａ  １００８、ＷＴ  Ｂ  １０１０、ＷＴ  Ｃ  １０１２、ＷＴ  Ｄ  １０１４）がある。これらの無線端末（１００８、１０１０、１０１２、１０１４）は、基地局１００４からダウンリンク信号を受信し、基地局１００４へアップリンク信号を送信する。しかし、この図の時点は、広域ネットワーク無線端末（１００８、１０１０、１０１２、１０１４）がいかなるアップリンク信号も送信しない意図的な広域ネットワークアップリンクサイレント期間である。
【０１５８】
また、セル１００６は、ピアツーピア動作モードで動作している複数の無線端末（ＷＴ  １  １０１６、ＷＴ  ２  １０１８、ＷＴ  ３  １０２０、ＷＴ  ４  １０２２）を含む。ピアツーピア通信はこの期間中は制約されていない。ピアツーピアＷＴ  １  １０１６は丁度ピアツーピア信号１０２４をピアツーピア無線端末２  １０１８へ送信しているところである。この送信されたピアツーピア信号１０２４は基地局１００４の受信機から見てピアツーピア雑音干渉信号１０２６と見なされる。ピアツーピアＷＴ  ３  １０２０は丁度ピアツーピア信号１０２８をピアツーピア無線端末４  １０２２へ送信しているところである。この送信されたピアツーピア信号１０２８は基地局１００４の受信機から見てピアツーピア雑音干渉信号１０３０と見なされる。
【０１５９】
図１６は種々の実施例のいくつかの特徴を示す図面１１０２で、図１５の例の続きの図である。セル１００６において、基地局１００４は電力制御値αを、測定されたピアツーピア干渉の関数として決定する。次に、基地局はＷＡＮダウンリンク無線リンク資源を用いて、この制御値αを無線端末で用いられることになる信号１１０４を介して放送する。この代表的実施例において、基地局は制御値αに対する単一の値を放送する。しかし値αは放送信号１１０４を受信する異なる無線通信デバイスによって異なって用いられるかもしれないし、時には用いられる。この実施例において、セルラモードで動作している無線端末の集合（ＷＴ  Ａ  １００８、ＷＴ  Ｂ  １０１０、ＷＴ  Ｃ  １０１２、ＷＴ  Ｄ  １０１４）は第１の電力制御関数ｆ１（α）１１０６を用いて送信電力レベル制御パラメータを決定する。一方、ピアツーピアモードで動作している無線端末の集合（ＷＴ  １  １０１６、ＷＴ  ２  １０１８、ＷＴ  ３  １０２０、ＷＴ  ４  １０２２）は第２の電力制御関数ｆ２（α）１１０８を用いて送信電力レベル制御パラメータを決定する。
【０１６０】
図１７は種々の実施例の特徴を示す制御値の代表的ルックアップテーブル１２００の図である。いくつかの実施例において、無線端末はダウンリンク周波数帯域で基地局から放送電力制御値を受信し、受信値と対応するサービスレベルとの関数として用いるそれ自身の電力制御値を決定する。種々のサービスレベルは種々のトラヒック形式、種々の形式のサービス、および／またはそのサービスの種々のユーザに対応するかもしれないし、時には対応する。また種々のサービスレベルにマッピングするかもしれないし、時にはマッピングする。例えば、代表的な種々の優先度は、いくつかの実施例において、種々のトラヒック形式、例えば音声、レイテンシが重要なデータ、およびベストエフォート型のデータに関係づけられる。代表的種々の形式のサービスは、例えば緊急通信サービスおよび通常の通信を含む。種々の形式のユーザは、例えば警察、消防、緊急サービスのような高優先度ユーザ、高サービスレベルプランに加入した中優先度ユーザ、および低サービスプランに加入した低優先度ユーザを含む。したがって、いくつかの実施例において、復元される電力制御値は優先レベルの関数として変更される。
【０１６１】
代表的表１２００において、第１列１２０２は代表的受信制御信号値αを示し、第２列１２０４は代表的対応するサービスレベル１の制御値α１を示し、第３列１２０６は代表的対応するサービスレベル２の制御値α２を示し、第４列１２０８は代表的対応するサービスレベル３の制御値α３を示す。第１行１２１０はルックアップテーブル１２００を用いる無線端末が基地局から、−１０ｄＢを示しその対応するサービスレベルが（サービスレベル１、サービスレベル２、サービスレベル３）の放送電力制御値を受信する場合、その電力制御値としてそれぞれ（−１０ｄＢ、−１５ｄＢ、−２０ｄＢ）を用いることを示す。第２行１２１２はルックアップテーブル１２００を用いる無線端末が基地局から、−２０ｄＢを示しその対応するサービスレベルが（サービスレベル１、サービスレベル２、サービスレベル３）の放送電力制御値を受信する場合、その電力制御値としてそれぞれ（−２０ｄＢ、−２５ｄＢ、−３０ｄＢ）を用いることを示す。第３行１２１４はルックアップテーブル１２００を用いる無線端末が基地局から、−３０ｄＢを示しその対応するサービスレベルが（サービスレベル１、サービスレベル２、サービスレベル３）の放送電力制御値を受信する場合、その電力制御値としてそれぞれ（−３０ｄＢ、−３５ｄＢ、−４０ｄＢ）を用いることを示す。
【０１６２】
図１８は種々の実施例に従って、基地局、例えばアップリンク帯域幅がピアツーピア信号伝送にも利用される基地局を動作させる代表的方法のフローチャート１３００である。基地局は、例えば隣接基地局間で同期して動作するセルラ通信システムの構成要素として動作する基地局である。隣接基地局間の同期は共通のアップリンクヌル期間の実施を容易にする。この期間に広域ネットワーク無線端末セルのアップリンク信号伝送はすべて停止するように制御されるかもしれない。これらのヌル期間は背景干渉の測定に利用される。そのような実施例において、背景干渉ＷをＷ＝熱雑音＋ピアツーピア雑音で近似することができる。基地局は、干渉を制御することを要望し、近傍の無線端末によって受信されるべき電力制御係数αを決定し、ダウンリンク周波数帯域で放送する。
【０１６３】
動作はステップ１３０２で始まる。そこで基地局は電源を投入され初期化される。いくつかの実施例において、初期化は電力制御係数αの規定値の使用を含む。この値はダウンリンク周波数帯域で無線端末へ放送される。動作は開始ステップ１３０２からステップ１３０４へ進む。ステップ１３０４において、基地局はヌル期間、例えばＷＡＮ無線端末が信号伝送を控えるよう制御されるアップリンクヌル期間に背景干渉Ｗを測定する。
【０１６４】
動作はステップ１３０４からステップ１３０６へ進む。ステップ１３０６において、基地局は測定背景干渉の関数として電力制御係数αを決定する。種々の実施例において、用いられる関数はＷが増加すると、少なくともあるＷの非ヌルの範囲においてαが増加するようなものである。いくつかの実施例において、ステップ１３０６の決定は格納された干渉配分情報との比較を含む。動作はステップ１３０６からステップ１３０８へ進む。
【０１６５】
ステップ１３０８において、基地局は決定された電力制御係数αをダウンリンク周波数帯域で放送する。動作はステップ１３０８からステップ１３０４を進む。そこで、背景干渉の別の測定が実行される。
【０１６６】
いくつかの実施例において、背景干渉の複数の測定が実行され、複数のヌル期間に対応して決定された電力制御係数を生成する際に用いられる。この係数は放送される。このように、いくつかの実施例において、基地局はステップ１３０８において決定された電力制御係数を放送する前に１組のヌル期間に対応して１組の背景測定、例えばステップ１３０４の複数の繰り返しを実行する。
【０１６７】
図１９は、種々の実施例に従う、例えばアップリンク帯域幅がピアツーピア信号伝送にも利用される基地局を動作させる代表的方法のフローチャート１４００である。基地局は、例えば隣接基地局間で同期せずに動作するセルラ通信システムの構成要素として動作する基地局である。基地局のアップリンクヌル期間に用いられるアップリンクタイミング構造において、アップリンクヌル期間は基地局に利用される。しかし、隣接セルの動作が同期していないため、隣接セルからの干渉レベルは時間と共に変化するかもしれず、このことが、隣接基地局が同期され、意図的なアップリンクヌルが同時に発生するように制御される場合よりも、背景干渉のピアツーピア成分を抽出することを一層困難にする。基地局は、干渉を制御することを要望し、近傍の無線端末によって受信されるべき電力制御係数αを決定し、放送する。この実施例の特徴に従って、応答を測定するために、基地局は制御された入力として基地局が放送する放送電力制御係数を意図的に変化させる。
【０１６８】
動作はステップ１４０２で始まる。そこで、基地局は電源を投入され、初期化され、ステップ１４０４へ進む。ステップ１４０４において、基地局は電力制御係数α１をダウンリンク周波数帯域で放送する。この時点で、α１は、初期設定から得た規定値である。次に、ステップ１４０６において、基地局はヌル期間、例えばその基地局を使用する無線通信デバイスがアップリンク信号の送信を意図的に制約されるアップリンクＷＡＮヌル期間に背景干渉Ｗ１を測定する。動作はステップ１４０６からステップ１４０８へ進む。
【０１６９】
ステップ１４０８において、基地局は第２の電力制御係数α２を決定するために電力制御係数を調整する。例えば、α２＝α１＋Δα、ここでΔαはゼロでない値であり、正または負となりうる。通常Δαはα１の小さい割合、例えばα１の２５％より小さい大きさを有する。動作はステップ１４０８からステップ１４１０へ進む。ここで基地局は新しい電力制御係数α２をダウンリンク周波数帯域で送信する。動作はステップ１４１０からステップ１４１２へ進む。
【０１７０】
ステップ１４１２において、基地局はヌル期間に、背景干渉Ｗ２を測定する。動作はステップ１４１２からステップ１４１４へ進む。ステップ１４１４において、基地局は測定背景干渉における変化と送信された電力制御係数における変化との関数として、電力制御係数α３を決定する。例えば、α３はΔＷとΔαの関数として決定される。ここでΔＷ＝Ｗ２−Ｗ１である。代表的一実施例において、α３はα３＝α２＋Δαおよびα３＝α１−Δαの１つである。動作はステップ１４１４からステップ１４１６へ進む。そこで、基地局はα１＝α３に設定する。次に、動作はステップ１４０４ヘ進む。ここで基地局は電力制御係数α１をダウンリンク周波数帯域で放送する。
【０１７１】
図２０は横軸１５０４の制御係数αに対する縦軸１５０２の雑音Ｗのプロットの図面１５００である。アップリンク信号を復元しようとする基地局における受信雑音を表す雑音Ｗはピアツーピア雑音および他のセルの干渉を含む。変数αは電力制御係数である。曲線１５０６は他のセルの干渉レベル１５０８に対応するα対Ｗの特性曲線である。第１の基地局に対応する意図的アップリンクヌル期間に、第１の基地局はアップリンク信号伝送を控えるために、ネットワーク接続点としてその基地局を用いる無線端末を意図的に制御する。この意図的アップリンクヌル期間において、セル内のピアツーピア動作は続けることが許される。このように、ピアツーピアの動作は第１の基地局受信機に雑音として扱われ、測定雑音Ｗに寄与する。
【０１７２】
次に、隣接基地局が第１の基地局に関して非同期で作動していると考える。隣接基地局が第１の基地局に関して非同期であるため、隣接基地局の意図的アップリンクヌル期間は第１の基地局の意図的ヌル期間とオーバラップする必要がない。したがって、隣接基地局のアップリンク信号伝送は第１の基地局の意図的ヌル期間に第１の基地局により測定される測定雑音Ｗに寄与する。
【０１７３】
Ｗ対αの特性曲線１５０６は他のセルの干渉１５０８の所与のレベルに対応する。これは干渉の最小レベルを表す。曲線１５０６のほぼ飽和点で動作している場合、αの増加は雑音Ｗの減少に顕著な改善を与えない。αの増加はピアツーピア信号伝送のための送信電力の制限に対応する。したがって、そのような状態のもとでは、ピアツーピア送信電力レベルをさらに制約することはセルラ無線端末からのアップリンク信号の受信を顕著には改善しない。しかし、曲線１５０６の傾斜が大きい値の点を用いて動作している場合、αの僅かな増加は雑音Ｗのレベルに顕著な減少変化をおよぼすことができる。そのような状態のもとでは、しばしば、セルベースの無線端末からのアップリンク信号の復元を改良するためにαを減少させることは有益であるかもしれない。例えば、ピアツーピア送信電力レベルの僅かの減少は、そのような状態のもとでは、アップリンク信号伝送復元および／またはスループットの顕著な改善をもたらすことができる。
【０１７４】
一般に、種々の実施例において、良好な広域ベース、例えばセルラベースの通信の受信はピアツーピア信号伝送より高い優先度を与えられる。しかし、所望のセルベースのアップリンク受信品質の特定のレベルが与えられると、ピアツーピア通信スループットが最大化されることが望ましい。Ｗ対α特性曲線が他のセルの干渉の関数として変化することが観測されるかもしれない。他のセルの干渉は第１のセルの動作に関係なく変化するかもしれないし、時には変化する。例えば、隣接セル内のセルラベースの無線端末ユーザ数、隣接セルのアップリンクトラヒック量、その他のような条件に起因して、第１の基地局が感知する他のセルの干渉は異なる値へ変化するかもしれない。図２１のプロット１６００は図２０の他のセルの干渉レベル１５０８とは異なる他のセルの干渉レベル１６０８を示す。さらに、図２１に特性曲線１５０６と比べて異なる特性曲線１６０６を示す。
【０１７５】
図２２は雑音測定に応じて種々の実施例で用いられる電力制御係数αの選択を調整する代表的方法を示す。図２２は横軸１５０４の制御係数αに対する縦軸１５０２の雑音Ｗのプロット１７００であり、特性曲線１５０６に一致する。動作時に、第１の基地局は、第１の基地局が、曲線１５０６は曲線１５０６および図２１の曲線１６０６を含む曲線群の１つである状態で、図２０の他のセルの干渉レベル１５０８に対応する特性曲線１５０６上で動作していることを知らないかもしれない。
【０１７６】
第１の基地局はαを初期値α１１７０２に設定する。これはダウンリンク周波数帯域で放送される。値α１１７０２は、第１の基地局のセル内でピアツーピア無線端末により、対応するアップリンク周波数帯域でのそれらのピアツーピア送信電力を制御するために用いられる。第１の基地局の意図的アップリンクヌル期間に、第１の基地局は受信雑音レベルＷを測定し、Ｗ１１７０６とする。次に、第１の基地局はα２１７１０を得るためにα１の値をΔα１７０８だけ意図的に変化させる。これは特性曲線１５０６上で受信雑音レベルを異なる点へ（１７０４から１７１２へ）意図的に動かすために用いられる制御された入力を表す。第１の基地局はパラメータα２１７１０をダウンリンク周波数帯域で放送する。値α２１７１０は第１の基地局のセル内のピアツーピア無線端末によって用いられ、アップリンク周波数帯域のそれらのピアツーピア送信電力を制御する。第１の基地局の意図的アップリンクヌル期間に、第１の基地局は受信雑音レベルＷを測定し、Ｗ２１７１４とする。第１の基地局は、Ｗの変化、ΔＷ１７１６を測定する。次に、第１の基地局は入力移動値Δα１７０８、測定された応答ΔＷ１７１６およびいくつかの格納された干渉配分情報の関数として新しい値をαに決定する。いくつかの実施例において、第１の基地局は少なくとも１つの雑音測定点、例えばＷ１またはＷ２の関数として新しい値をαに決定する。この例において、第１の基地局は、小さいおよび大きいの決定は予め定められた格納された干渉配分情報に関係している状態で、ΔＷが小さい場合、点１７１８で示されるようにαに対する新しい値α３をα３＝α１−Δαに設定する。一方第１の基地局はΔＷが大きい場合、点１７２０で示されるようにαに対する新しい値α３をα３＝α２＋Δαに設定する。次に、電力制御係数α３は第１の基地局によってダウンリンク周波数帯域で放送され、アップリンク周波数帯域で送信電力レベルを制御するためにセル内のピアツーピア無線端末によって用いられる。
【０１７７】
図２３は広域ネットワーク、例えばセルラ通信のために時分割二重（ＴＤＤ）を利用するいくつかの実施例における代表的帯域幅利用を示す図面１８００である。例えば、ある基地局に対応する広域ネットワークに関して、同じ周波数帯域が例えばアップリンクとダウンリンク間の交互パターンで共有される。例えば、広域、例えばセルラ通信に用いられるＴＤＤ帯域は、時間軸１８０２に沿ってブロック（１８０４、１８０６、１８０８、１８１０）で示すように、それぞれ（アップリンク、ダウンリンク、アップリンク、ダウンリンク）に用いられる。通常のセルラベースの動作に加えて、基地局はピアツーピア参照および／または（複数の）制御放送信号、例えばビーコン信号および／または他の放送信号を、広域ダウンリンク信号伝送のために通常確保された期間に送信する。これはブロック（１８０６、１８１０）に対する期間にそれぞれ対応する信号（１８１２、１８１４）によって表される。さらに、広域ネットワーク、例えばセルラアップリンクに用いられるように指示された期間は、ピアツーピアブロック（１８１６、１８１８）とそれぞれ同時動作するセルラアップリンクブロック（１８０４、１８０８）で示されるように、同じＴＤＤ帯域を用いてピアツーピア信号伝送にも用いられる。
【０１７８】
図２４は広域ネットワーク、例えばセルラ通信のために周波数分割二重（ＦＤＤ）を利用するいくつかの実施例における代表的帯域幅利用を示す図面１９００である。広域ネットワークに関して、例えば基地局に対応して異なる周波数帯域がアップリンクおよびダウンリンクで用いられる。この代表的実施例において、ＦＤＤ広域アップリンク帯域は周波数軸１９０２に沿ってブロック１９０４で表され、ＦＤＤ広域ダウンリンク帯域はブロック１９０６で表される。いくつかの実施例において、アップリンクとダウンリンク帯域は隣接している。いくつかの実施例において、アップリンクおよび／またはダウンリンク帯域は非連続の部分を含む。いくつかの実施例において、アップリンクおよびダウンリンク帯域の１つの少なくとも一部分は、アップリンクおよびダウンリンク帯域のもう一方の２つの異なる部分の間に含まれる。
【０１７９】
ＦＤＤ広域アップリンク帯域内の通常のセルラベースのアップリンク信号伝送に加えて、この帯域はピアツーピアに関係する他の動作に用いられる。図２４において、ＦＤＤ広域ダウンリンク帯域１９０６は、ピアツーピア放送の参照および／または制御（複数の）信号１９０８を送信するために、基地局によっても用いられる。例えばビーコン信号および／または他の放送信号はピアツーピア無線端末によって用いられる基地局によって送信される。ピアツーピア無線端末は、ＦＤＤ広域アップリンク帯域１９０４に一致する周波数軸１９０２上に配置されたブロック１９１０で示すように、ピアツーピア信号伝送に対して同じ帯域を用いる。
【０１８０】
図２５は、種々の実施例に従う、代表的周波数帯域および広域ネットワーク通信利用とピアツーピア通信利用の間の共有周波数帯域の利用を示す図面２１００である。広域ネットワーク通信帯域として用いられる帯域が、ピアツーピアＴＤＤ受信機帯域としておよびピアツーピアＴＤＤ送信機帯域としての利用のためにも割り当てられる。一例として、図２５に示される帯域は、マルチモード無線通信デバイス、例えばＷＡＮアップリンクおよびダウンリンク通信帯域の異なる位置および／または異なる時間に利用可能および／または用いられる、異なる対と共に利用される。
【０１８１】
水平軸２１０１は周波数を表す。周波数ｆＵＬ１２１０３に対応して、広域ネットワークアップリンク周波数分割二重帯域２１０２、ピアツーピア時分割二重送信帯域２１０６およびピアツーピア時分割二重受信帯域２１０８がある。広域ネットワークアップリンク周波数分割二重帯域２１０２は広域ネットワークダウンリンク周波数分割二重帯域２１０４と対にされる。周波数ｆＤＬ１２１０５に対応して、広域ネットワークダウンリンク周波数分割二重帯域２１０４がある。ＷＡＮダウンリンクＦＤＤ帯域２１０４は、ビーコン信号または非ビーコン制御チャネル信号、のような基地局を送信源とする放送信号を伝達するための帯域２１０９としても用いられる。このビーコン信号または非ビーコン制御チャネル信号は、ピアツーピア送信電力制御に用いられるようなピアツーピア信号伝送に作用させるために用いられる参照および／または制御情報信号を伝達するためのものである。
【０１８２】
同様に、周波数ｆＵＬ２２１１３に対応して、広域ネットワークアップリンク周波数分割二重帯域２１１２、ピアツーピア時分割二重送信帯域２１１６およびピアツーピア時分割二重受信帯域２１１８がある。広域ネットワークアップリンク周波数分割二重帯域２１１２は広域ネットワークダウンリンク周波数分割二重帯域２１１４と対にされる。周波数ｆＤＬ２２１１５に対応して、広域ネットワークダウンリンク周波数分割二重帯域２１１４がある。ＷＡＮダウンリンクＦＤＤ帯域２１１４はビーコン信号または非ビーコン制御チャネル信号のような基地局を送信源とする放送信号を伝達するための帯域２１１９としても用いられる。このビーコン信号または非ビーコン制御チャネル信号はピアツーピア送信電力制御に用いられるようなピアツーピア信号伝送に作用させるために用いられる参照および／または制御情報信号を伝達するためのものである。
【０１８３】
同様に、周波数ｆＵＬ３２１２３に対応して、広域ネットワークアップリンク周波数分割二重帯域２１２２、ピアツーピア時分割二重送信帯域２１２６およびピアツーピア時分割二重受信帯域２１２８がある。広域ネットワークアップリンク周波数分割二重帯域２１２２は広域ネットワークダウンリンク周波数分割二重帯域２１２４と対にされる。周波数ｆＤＬ３２１２５に対応して、広域ネットワークダウンリンク周波数分割二重帯域２１２４がある。ＷＡＮダウンリンクＦＤＤ帯域２１２４はビーコン信号または非ビーコン制御チャネル信号のような基地局を送信源とする放送信号を伝達するための帯域２１２９としても用いられる。このビーコン信号または非ビーコン制御信号はピアツーピア送信電力制御に用いられるようなピアツーピア信号伝送に作用させるために用いられる参照および／または制御情報信号を伝達するためのものである。
【０１８４】
いくつかの実施例において、ＴＤＤとＦＤＤの少なくとも１つを用いるセルラベースの通信システムはピアツーピア信号伝送を、例えばセルベースのアップリンク広域ネットワークのアップリンク信号伝送にも用いる無線リンク資源を共有する少なくともいくつかのピアツーピア信号伝送に適応させる。いくつかの実施例において、ＴＤＤとＦＤＤの少なくとも１つを用いる通常のセルラベースの通信システムは、ピアツーピア信号伝送を、例えばセルベースのアップリンク広域ネットワークのアップリンク信号伝送に通常確保された無線リンク資源を共有する少なくともいくつかのピアツーピア信号伝送に適応させるように修正される。いくつかの実施例において、ピアツーピア信号伝送ではなくセルベースの信号伝送をサポートする多くのレガシー通信装置はこの通信システム内で用いられ続けることができる。種々の実施例において、通信システムは少なくともいくつかの通信デバイスがピアツーピア通信をサポートするがセルベースの通信をサポートしない状態にある複数の通信デバイスの混在をサポートする。いくつかの実施例において、通信システムは少なくともいくつかの通信デバイスがピアツーピア通信とセルベースの通信の双方をサポートする状態にある複数の通信デバイスの混在をサポートする。
【０１８５】
主としてＯＦＤＭシステムの文脈で説明したが、種々の実施例の方法および装置は多くの非ＯＦＤＭおよび／または非セルラシステムを含む広範囲の通信システムに適用可能である。いくつかの代表的システムはピアツーピア信号伝送、例えばいくつかのＯＦＤＭ形式の信号およびいくつかのＣＤＭＡ形式の信号で利用される複数の技術の混在を含む。
【０１８６】
種々の実施例において、ここで説明したノードは、１つ以上の方法に対応するステップを実行する１つ以上のモジュールを用いて実施される。ステップは例えばアップリンク帯域幅を走査すること、基地局信号を評価すること、送信電力レベル制御パラメータを決定すること、ピアツーピア送信電力を制御すること、干渉を測定すること、送信電力制御値を決定すること、送信電力制御パラメータを送信すること等である。いくつかの実施例において、種々の特徴はモジュールを用いて実施される。そのようなモジュールはソフトウェア、ハードウェア、またはソフトウェアとハードウェアの組み合わせを用いて実施されるかもしれない。上で説明した方法または方法のステップの多くは、例えば１つ以上のノードにおいて上記方法のすべてまたは一部を実施するために、機械実行可能な命令を用いて実施されうる。これらの命令は、メモリーデバイス、例えばＲＡＭ、フロッピー（登録商標）ディスク等、のような機械可読媒体に含まれ、機械、例えば付加的ハードウェアを含むまたは含まない汎用計算機、を制御するためのソフトウェアのようなものである。従って、特に、種々の実施例は機械、例えばプロセッサおよび関連ハードウェアに上記（複数の）方法の１つ以上のステップを実行させるための機械実行可能な命令を含む機械可読媒体に関するものである。
【０１８７】
上で説明した方法および装置の多くの付加的変形例は上の説明に鑑みて当業者に明らかになるだろう。そのような変形は、本発明の範囲内と考えられる。種々の実施例の方法および装置は、ＣＤＭＡ、直交周波数分割多重（ＯＦＤＭ）、および／またはアクセスノードと移動ノードとの間の無線通信リンクを提供する種々の他の形式の通信技術と共に用いられるかもしれないし、種々の実施例では用いられる。いくつかの実施例において、アクセスノードはＯＦＤＭおよび／またはＣＤＭＡを用いる移動ノードとの通信リンクを確立する基地局として実施される。種々の実施例において、移動ノードはノートパソコン、携帯情報端末（ＰＤＡ）、または種々の実施例の方法を実施するための、受信機／送信機回路および論理回路および／またはルーチンを含む他の携帯デバイスとして実施される。
【図１】
2010504052.tif 000003
【図２】
2010504052.tif 000004
【図３】
2010504052.tif 000005
【図４】
2010504052.tif 000006
【図５】
2010504052.tif 000007
【図６】
2010504052.tif 000008
【図７】
2010504052.tif 000009
【図７Ａ】
2010504052.tif 000010
【図７Ｂ】
2010504052.tif 000011
【図８】
2010504052.tif 000012
【図９】
2010504052.tif 000013
【図１０】
2010504052.tif 000014
【図１１】
2010504052.tif 000015
【図１２】
2010504052.tif 000016
【図１３】
2010504052.tif 000017
【図１４】
2010504052.tif 000018
【図１５】
2010504052.tif 000019
【図１６】
2010504052.tif 000020
【図１７】
2010504052.tif 000021
【図１８】
2010504052.tif 000022
【図１９】
2010504052.tif 000023
【図２０】
2010504052.tif 000024
【図２１】
2010504052.tif 000025
【図２２】
2010504052.tif 000026
【図２３】
2010504052.tif 000027
【図２４】
2010504052.tif 000028
【図２５】
2010504052.tif 000029
【国際調査報告】
2010504052.tif 000030
2010504052.tif 000031
2010504052.tif 000032